(57)【特許請求の範囲】
【請求項１】
デジタル通信回線を介して第１の通信装置と第２の通信装置が接続されていると共に、前記第１の通信装置には第１のアナログ回線を介して電話交換装置が接続され、また、前記第２の通信装置には第２のアナログ回線を介して電話端末装置が接続されたデジタル通信システムであって、
前記第２の通信装置は、
前記電話端末装置からのアナログ音声情報をデジタル音声情報に符号化する符号化手段と、
前記第２のアナログ回線の電気的回線状態を検出する検出手段と、
当該検出手段が検出した電気的回線状態と、前記第１の通信装置に接続されている装置の機種種別情報とを含む所定の識別情報を付加したデジタル状態情報を生成する生成手段と、
前記生成手段が前記デジタル状態情報を生成した場合に、前記符号化手段からの前記デジタル音声情報の間に前記生成手段からの当該デジタル状態情報を割り込ませたデジタル情報を、前記デジタル通信回線を介して前記第１の通信装置に送出する送信手段と、を備え、
前記第１の通信装置は、
前記デジタル通信回線を介して前記第２の通信装置からの前記デジタル情報を受信する受信手段と、
前記受信手段が受信した前記デジタル情報より前記識別情報を検出した場合、前記デジタル状態情報を抽出し出力すると共に、前記デジタル状態情報が割り込んでいた位置に所定のダミーデータを挿入して出力するデジタル状態情報抽出手段と、
前記デジタル状態情報抽出手段が抽出し出力した前記デジタル状態情報を受信し、当該デジタル状態情報内の前記機種種別情報と前記第２のアナログ回線の電気的回線状態に応じて、前記第１のアナログ回線の電気的回線状態を設定する回線状態設定手段と、
前記デジタル状態情報抽出手段から受信した前記デジタル音声情報と挿入された前記所定のダミーデータとをアナログ音声情報に復号化する復号化手段と、
当該アナログ音声情報を前記電話交換装置に送出するアナログ音声送出手段と、
を備えたことを特徴とするデジタル通信システム。
【請求項２】
デジタル通信回線を介して第１の通信装置と第２の通信装置が接続されていると共に、前記第１の通信装置には第１のアナログ回線を介して電話交換装置が接続され、また、前記第２の通信装置には第２のアナログ回線を介して電話端末装置が接続されたデジタル通信システムであって、
前記第１の通信装置は、
前記電話交換装置からのアナログ音声情報をデジタル音声情報に符号化する符号化手段と、
前記第１のアナログ回線の電気的回線状態を検出する検出手段と、
当該検出手段が検出した電気的回線状態と、前記第２の通信装置に接続されている装置の機種種別情報とを含む所定の所定の識別情報を付加したデジタル状態情報を生成する生成手段と、
前記生成手段が前記デジタル状態情報を生成した場合に、前記符号化手段からの前記デジタル音声情報の間に前記生成手段からの当該デジタル状態情報を割り込ませたデジタル情報を、前記デジタル通信回線を介して前記第２の通信装置に送出する送信手段と、を備え、
前記第２の通信装置は、
前記デジタル通信回線を介して前記第１の通信装置からの前記デジタル情報を受信する受信手段と、
前記受信手段が受信した前記デジタル情報より前記識別情報を検出した場合、前記デジタル状態情報を抽出し出力すると共に、前記デジタル状態情報が割り込んでいた位置に所定のダミーデータを挿入して出力するデジタル状態情報抽出手段と、
前記デジタル状態情報抽出手段が抽出し出力した前記デジタル状態情報を受信し、当該デジタル状態情報内の前記機種種別情報と前記第１のアナログ回線の電気的回線状態に応じて、前記第２のアナログ回線の電気的回線状態を設定する回線状態設定手段と、
前記デジタル状態情報抽出手段から受信した前記デジタル音声情報と挿入された前記所定のダミーデータとをアナログ音声情報に復号化する復号化手段と、
当該アナログ音声情報を前記電話端末装置に送出するアナログ音声送出手段と、
を備えたことを特徴とするデジタル通信システム。
【発明の詳細な説明】
【０００１】
【発明の属する技術分野】
本発明は、デジタル専用線等のデジタル通信回線を介して、構内電話交換機（以下「ＰＢＸ」という）やボタン電話装置等の電話交換装置とアナログ電話機やファクシミリ装置等の端末装置との間を接続するデジタル通信システム及びデジタル通信装置に関する。
【０００２】
【従来の技術】
従来から、アナログ専用線を介して、電話交換装置と電話機等のアナログ端末装置とを接続する通信装置として、帯域内信号装置が知られている。この帯域内信号装置は、発呼、着呼、終話等の呼制御情報やダイヤル情報を、音声周波数帯域の信号を利用して送受信し、アナログ端末装置と電話交換装置との間の呼制御行うものである。なお、この帯域内信号装置及びアナログ専用線は、使用するアナログ端末装置の回線数だけ必要であった。
【０００３】
【発明が解決しようとする課題】
しかしながら、従来技術によれば、アナログ専用線の特性からアナログ端末装置が遠隔地に設置されてしまうと、通話品質が劣化してしまうという問題が生じ、また、専用線がアナログからデジタルに移行してきたことによって、アナログ端末装置をデジタル専用線に接続する必要が生じてきているが、アナログ端末装置をデジタル専用線に接続することが極めて困難であった。
【０００４】
本発明は、従来技術の課題を解決するものであり、既存の電話交換装置等のシステムを何ら変更することなく、既存のアナログ端末装置をデジタル専用線を介して電話交換装置に接続可能とするデジタル通信システム及びデジタル通信装置を提供することを目的とする。
【０００５】
【課題を解決するための手段】
本発明のデジタル通信システムは、デジタル通信回線を介して第１の通信装置と第２の通信装置が接続されていると共に、前記第１の通信装置には第１のアナログ回線を介して電話交換装置が接続され、また、前記第２の通信装置には第２のアナログ回線を介して電話端末装置が接続されたデジタル通信システムであって、前記第２の通信装置は、前記電話端末装置からのアナログ音声情報をデジタル音声情報に符号化する符号化手段と、前記第２のアナログ回線の電気的回線状態を検出する検出手段と、当該検出手段が検出した電気的回線状態と、前記第１の通信装置に接続されている装置の機種種別情報とを含む所定の識別情報を付加したデジタル状態情報を生成する生成手段と、前記生成手段が前記デジタル状態情報を生成した場合に、前記符号化手段からの前記デジタル音声情報の間に前記生成手段からの当該デジタル状態情報を割り込ませたデジタル情報を、前記デジタル通信回線を介して前記第１の通信装置に送出する送信手段と、を備え、前記第１の通信装置は、前記デジタル通信回線を介して前記第２の通信装置からの前記デジタル情報を受信する受信手段と、前記受信手段が受信した前記デジタル情報より前記識別情報を検出した場合、前記デジタル状態情報を抽出し出力すると共に、前記デジタル状態情報が割り込んでいた位置に所定のダミーデータを挿入して出力するデジタル状態情報抽出手段と、前記デジタル状態情報抽出手段が抽出し出力した前記デジタル状態情報を受信し、当該デジタル状態情報内の前記機種種別情報と前記第２のアナログ回線の電気的回線状態に応じて、前記第１のアナログ回線の電気的回線状態を設定する回線状態設定手段と、前記デジタル状態情報抽出手段から受信した前記デジタル音声情報と挿入された前記所定のダミーデータとをアナログ音声情報に復号化する復号化手段と、当該アナログ音声情報を前記電話交換装置に送出するアナログ音声送出手段と、を備えたことを特徴とする。
【０００６】
また、本発明のデジタル通信システムは、デジタル通信回線を介して第１の通信装置と第２の通信装置が接続されていると共に、前記第１の通信装置には第１のアナログ回線を介して電話交換装置が接続され、また、前記第２の通信装置には第２のアナログ回線を介して電話端末装置が接続されたデジタル通信システムであって、前記第１の通信装置は、前記電話交換装置からのアナログ音声情報をデジタル音声情報に符号化する符号化手段と、前記第１のアナログ回線の電気的回線状態を検出する検出手段と、当該検出手段が検出した電気的回線状態と、前記第２の通信装置に接続されている装置の機種種別情報とを含む所定の所定の識別情報を付加したデジタル状態情報を生成する生成手段と、前記生成手段が前記デジタル状態情報を生成した場合に、前記符号化手段からの前記デジタル音声情報の間に前記生成手段からの当該デジタル状態情報を割り込ませたデジタル情報を、前記デジタル通信回線を介して前記第２の通信装置に送出する送信手段と、を備え、前記第２の通信装置は、前記デジタル通信回線を介して前記第１の通信装置からの前記デジタル情報を受信する受信手段と、前記受信手段が受信した前記デジタル情報より前記識別情報を検出した場合、前記デジタル状態情報を抽出し出力すると共に、前記デジタル状態情報が割り込んでいた位置に所定のダミーデータを挿入して出力するデジタル状態情報抽出手段と、前記デジタル状態情報抽出手段が抽出し出力した前記デジタル状態情報を受信し、当該デジタル状態情報内の前記機種種別情報と前記第１のアナログ回線の電気的回線状態に応じて、前記第２のアナログ回線の電気的回線状態を設定する回線状態設定手段と、前記デジタル状態情報抽出手段から受信した前記デジタル音声情報と挿入された前記所定のダミーデータとをアナログ音声情報に復号化する復号化手段と、当該アナログ音声情報を前記電話端末装置に送出するアナログ音声送出手段と、を備えたことを特徴とする。
【０００９】
【発明の実施の形態】
以下、本発明の実施の形態を図面を用いて詳細に説明する。
【００１０】
図１は、本発明が適用されたシステム構成図である。図１において、このシステムは、ＰＢＸ側デジタル専用線通信装置（以下「通信装置（Ａ）」という）１及び電話機側デジタル専用線通信装置（以下「通信装置（Ｂ）」という）２が、６４ｋｂ／ｓの通信速度を提供するデジタル専用線３に接続されており、このデジタル専用線３を介して、通信装置（Ａ）１と通信装置（Ｂ）２とが相互通信できる構成となっている。また、通信装置（Ａ）１には、ＰＢＸ４が接続されており、通信装置（Ｂ）２には、通常のアナログ電話機６が接続されている。
【００１１】
ＰＢＸ４について説明すると、ＰＢＸ４は、通話路スイッチ４１と、ライン回路４２ａ及び４２ｂと、局線トランク４３と、専用線トランク４４と、中央制御装置４５と、記憶装置４６とを含んで構成されている。
【００１２】
通話路スイッチ４１は、ライン回路４２ａ及び４２ｂ、局線トランク４３並びに専用線トランク４４を収容しており、中央制御装置４５の制御下で、これらの間を自在に通話接続する時分割スイッチである。
【００１３】
ライン回路４２ａは、所謂、内線電話機５を接続し、この内線電話機５の発信又は着信を制御するインタフェース装置であって、内線電話機５の発信（ループ形成）の検出やダイヤル信号の検出等を行い、これを発信検出として中央制御装置４５に通知すると共に、中央制御装置４５からの制御信号により内線電話機５への着信を認識すると、極性反転信号の送出や呼出信号の送出等を行い、内線電話機５に着信を通知する機能を有している。
【００１４】
なお、ライン回路４２ｂは、通信装置（Ａ）１を接続し、他のライン回路４２ａと同一の機能を有するものであって、内線電話機５が接続されているライン回路４２ａと同じ動作をする。従って、中央制御装置４５は、通信装置（Ａ）１を接続しているライン回路４２ｂであっても、特別な処理をすることなく、内線電話機５が接続されている他のライン回路４２ａと同一の処理を行う。
【００１５】
局線トランク４３は、所謂、公衆網７を接続し、この公衆網７の発信又は着信を制御するインタフェース装置であって、公衆網７から送出された極性反転信号の検出や呼出信号の検出等を行い、これを着信検出として中央制御装置４５に通知すると共に、中央制御装置４５からの制御信号により公衆網７への発信を認識すると、局線のループ形成やダイヤル信号の送出等を行い、公衆網７に発信を通知する機能を有している。
【００１６】
専用線トランク４４は、局線トランク４３と同様のもので、専用線８を接続し、この専用線８の発信又は着信を制御するインタフェース装置であって、専用線８から送出されたＳＲ信号の検出等を行い、これを着信検出として中央制御装置４５に通知すると共に、中央制御装置４５からの制御信号により専用線８への発信を認識すると、専用線のＳＳ信号の送出等を行い、専用線８に発信を通知する機能を有している。
【００１７】
中央制御装置４５は、通話路スイッチ４１、ライン回路４２ａ及び４２ｂ、局線トランク４３並びに専用線トランク４４を含むＰＢＸ４の全体を制御する制御装置であって、記憶装置４６に格納されている制御プログラムや各種動作条件を示す局データに応じて、ＰＢＸ４を制御している。
【００１８】
なお、図１において、ＰＢＸ４のライン回路４２ｂと通信装置（Ａ）１との間でやりとりされる制御信号の内、ＰＢＸ４のライン回路４２ｂから通信装置（Ａ）１へ送出される制御信号は、給電（通話電流）のオン（有り）／オフ（無し）で送られる給電オン／オフ信号Ｃ１１、供給する電源極性のノーマル（非反転状態）／レバース（反転状態）で送られるノーマル／レバース信号（通称、極性反転信号）Ｃ１２及び呼出信号のオン（送出）／オフ（非送出）で送られる呼出信号オン／オフ信号Ｃ１３があり、また、通信装置（Ａ）１からＰＢＸ４のライン回路４２ｂへ送出される制御信号は、回線のループ（ループ形成状態）／ループ断（ループ非形成状態）で送られるループ／ループ断信号Ｃ１４がある。
【００１９】
また、通信装置（Ｂ）２とアナログ電話機６との間でやりとりされる制御信号の内、通信装置（Ｂ）２からアナログ電話機６へ送出される制御信号は、給電（通話電流）のオン（有り）／オフ（無し）で送られる給電オン／オフ信号Ｃ２１、供給する電源極性のノーマル（非反転状態）／レバース（反転状態）で送られるノーマル／レバース信号Ｃ２２及び呼出信号のオン（送出）／オフ（非送出）で送られる呼出信号オン／オフ信号Ｃ２３があり、また、アナログ電話機６から通信装置（Ｂ）２へ送出される制御信号は、回線のループ（ループ形成状態）／ループ断（ループ非形成状態）で送られるループ／ループ断信号Ｃ２４がある。
【００２０】
そして、ＰＢＸ４のライン回路４２ｂから送出され、通信装置（Ａ）１で受けた給電オン／オフ信号Ｃ１１、ノーマル／レバース信号Ｃ１２及び呼出信号オン／オフ信号Ｃ１３の制御信号は、通信装置（Ａ）１がそれぞれ制御メッセージとしてデジタル専用線３を介して通信装置（Ｂ）２に送出し、これを受信した通信装置（Ｂ）２は、これらに対応させて、給電オン／オフ信号Ｃ２１、ノーマル／レバース信号Ｃ２２及び呼出信号オン／オフ信号Ｃ２３の制御信号をアナログ電話機６に送出する。
【００２１】
また、アナログ電話機６から送出され、通信装置（Ｂ）２で受けたループ／ループ断信号Ｃ２４の制御信号は、通信装置（Ｂ）２が制御メッセージとしてデジタル専用線３を介して通信装置（Ａ）１に送出し、これを受信した通信装置（Ａ）１は、これに対応させて、ループ／ループ断信号Ｃ１４の制御信号をＰＢＸ４のライン回路４２ｂに送出する。
【００２２】
図２は、通信装置（Ａ）１の構成を示すブロック図である。図２において、この通信装置（Ａ）１は、給電検出回路１０１と、極性反転信号検出回路１０２と、呼出信号検出回路１０３と、コンデンサ１０４と、ループ形成回路１０５と、コンデンサ１０６及び１０７と、ハイブリッド回路１０８と、アッテネータ１０９及び１１０と、ＰＣＭ符号器１１１と、ＰＣＭ復号器１１２と、ＡＤＰＣＭ符号器１１３と、ＡＤＰＣＭ復号器１１４と、制御メッセージ挿入回路１１５と、制御メッセージ抽出回路１１６と、デジタル専用線インタフェース回路１１７と、制御部１１８と、記憶部１１９と、表示部１２０と、設定ボタン１２１と、無音検出回路１２２とを含んで構成されている。
【００２３】
給電検出回路１０１は、ＰＢＸ４のライン回路４２ｂから提供される２ワイヤ形式のアナログ回線に接続され、このライン回路４２ｂから給電が行われているか否か（すなわち、給電オン／オフ）を検出するものであり、この給電オン／オフの検出結果を制御部１１８に通知する機能を有する。
【００２４】
極性反転信号検出回路１０２は、ＰＢＸ４のライン回路４２ｂから提供されるアナログ回線に接続され、このライン回路４２ｂからの給電における電源極性がノーマル状態か又はレバース状態か（すなわち、極性反転信号のノーマル／レバース）を検出するものであり、このノーマル／レバースの検出結果を制御部１１８に通知する機能を有する。
【００２５】
呼出信号検出回路１０３は、直流成分をカットするコンデンサ１０４を介してＰＢＸ４のライン回路４２ｂから提供されるアナログ回線に接続され、このライン回路４２ｂから送出される呼出信号（すなわち、呼出信号オン／オフ）を検出するものであり、この呼出信号オン／オフの検出結果を制御部１１８に通知する機能を有する。
【００２６】
ループ形成回路１０５は、ＰＢＸ４のライン回路４２ｂから提供されるアナログ回線に接続され、この回線を直流的にループを形成したループ状態にするか又は直流的なループを形成しないループ断状態にするものであり、制御部１１８の制御によって、このループ／ループ断のいずれかの状態にする機能を有する。なお、このループ形成回路１０５によってループ／ループ断を断続的に行うことにより、ダイヤルパルス信号を発生し、ＰＢＸ４のライン回路４２ｂに送出するダイヤルパルス送出機能も実現している。
【００２７】
ハイブリッド回路１０８は、直流成分をカットするコンデンサ１０６及び１０７を介してＰＢＸ４のライン回路４２ｂから提供されるアナログ回線に接続され、回線の２ワイヤ／４ワイヤ変換を行うものである。すなわち、ＰＢＸ４のライン回路４２ｂから提供されるアナログ回線は２ワイヤ形式の回線であって、この回線上ではアナログ２ワイヤ形式の信号がやりとりされているため、ハイブリッド回路１０８によって、このアナログ２ワイヤ形式の信号を送信方向のアナログ２ワイヤと受信方向のアナログ２ワイヤから成るアナログ４ワイヤ形式の信号に変換し、また、これらアナログ４ワイヤ形式の信号をアナログ２ワイヤ形式の信号に変換している。
【００２８】
アッテネータ１０９は、ハイブリッド回路１０９から得た送信方向のアナログ信号の信号レベルを調整するものである。なお、この信号レベルの調整は、制御部１１８の制御によって行われる。
【００２９】
ＰＣＭ符号器１１１は、アッテネータ１０９から得たアナログ信号をＩＴＵ−Ｔ勧告のＧ．７１１に従ったＰＣＭ信号（８ｋＨｚサンプリングで８ビットデータとした６４ｋｂ／ｓのデジタル信号）に符号化するものである。
【００３０】
ＡＤＰＣＭ符号器１１３は、ＰＣＭ符号器１１１から得たＰＣＭ信号をＩＴＵ−Ｔ勧告のＧ．７２６に従ったＡＤＰＣＭ信号（８ｋＨｚサンプリングで４ビットデータとした３２ｋｂ／ｓのデジタル信号）に圧縮するものである。
【００３１】
制御メッセージ挿入回路１１５は、ＡＤＰＣＭ符号器から得たＡＤＰＣＭ信号（ＡＤＰＣＭ符号化フレーム）の中に、制御部１１８から得た制御メッセージ（給電オン／オフ信号Ｃ１１、ノーマル／レバース信号Ｃ１２及び呼出信号オン／オフ信号Ｃ１３等の制御信号に対応する制御メッセージ）を挿入するものである。
【００３２】
デジタル専用線インタフェース回路１１７は、デジタル専用線３とのインタフェースを行うものであって、制御メッセージ挿入回路１１５から得たＡＤＰＣＭ信号及び制御メッセージで構成された符号化フレーム（３２ｋｂ／ｓのデジタル信号）をデジタル専用線３に送出すると共に、このデジタル専用線３から得た符号化フレーム（３２ｋｂ／ｓのデジタル信号）を受信し、これを制御メッセージ抽出回路１１６に送出するものである。
【００３３】
制御メッセージ抽出回路１１６は、デジタル専用線インタフェース回路１１７から得た符号化フレームに含まれる制御メッセージ（ループ／ループ断信号Ｃ２４等の制御信号に対応する制御メッセージ）を抽出し、これを制御部１１８に送出すると共に、制御メッセージ以外のＡＤＰＣＭ信号（ＡＤＰＣＭ符号化フレーム）をＡＤＰＣＭ復号器１１４に送出するものである。
【００３４】
ＡＤＰＣＭ復号器１１４は、制御メッセージ抽出回路１１６から得たＡＤＰＣＭ信号をＰＣＭ信号に復号するものである。
【００３５】
ＰＣＭ復号器１１２は、ＡＤＰＣＭ復号器１１４から得たＰＣＭ信号をアナログ信号に復号化するものである。
【００３６】
アッテネータ１１０は、ＰＣＭ復号器１１２から得た受信方向のアナログ信号の信号レベルを調整し、これをハイブリッド回路１０８に送出するものである。なお、この信号レベルの調整は、制御部１１８の制御によって行われる。
【００３７】
制御部１１８は、通信装置（Ａ）１の全体を制御するものであって、特に、給電検出回路１０１、極性反転信号検出回路１０２及び呼出信号検出回路１０３から得られる信号状態を微小時間周期（以下、本実施の形態では１００マイクロ秒周期を例として説明する。）で検出し、これらの検出結果から、給電オン／オフ信号Ｃ１１、ノーマル／レバース信号Ｃ１２及び呼出信号オン／オフ信号Ｃ１３の制御信号に応じて制御メッセージを生成して、これを制御メッセージ挿入回路１１５に送出すると共に、制御メッセージ抽出回路１１６から得られるループ／ループ断信号Ｃ２４の制御信号に応じた制御メッセージを微小時間周期（以下、本実施の形態では１００マイクロ秒周期を例として説明する。）で検出し、これに応じて即時にループ形成回路１０５をループ／ループ断のいずれかの状態に制御するものである。
【００３８】
記憶部１１９は、制御部１１８が通信装置（Ａ）１の全体を制御するために必要な制御プログラムや各種動作条件情報を格納すると共に、制御部１１８が各種制御を行うために必要なワークスペース（情報の一時的な記憶部）を提供するものである。
【００３９】
表示部１２０は、通信装置（Ａ）１の通信状態、各種動作条件情報及び各種設定情報を可視的に表示するものであって、これは制御部１１８の制御によって作動するものである。
【００４０】
設定ボタン１２１は、通信装置（Ａ）１の各種動作内容を設定する際に用いられるものであって、この設定内容は制御部１１８が読み取り、動作条件情報として記憶部１１９に格納される。なお、各種動作内容を設定する際、制御部１１８の制御によって表示部１２０へ設定内容が表示されるようにしてある。
【００４１】
無音検出回路１２２は、アッテネータ１０９の出力に接続されており、ＰＢＸ４のライン回路４２ｂから出力され、ハイブリッド回路１０８及びアッテネータ１０９を介して得た音声信号が無音状態か否かを検出するものであり、無音を検出したとき、この検出結果を制御部１１８に通知する機能を有する。
【００４２】
以上のとおり、通信装置（Ａ）１が構成されている。
【００４３】
図３は、通信装置（Ｂ）２の構成を示すブロック図である。図３において、この通信装置（Ｂ）２は、レバースリレー２０１と、呼出信号リレー２０２と、呼出信号送出回路２０３と、給電回路２０４と、ループ検出回路２０５と、コンデンサ２０６及び２０７と、ハイブリッド回路２０８と、アッテネータ２０９及び２１０と、ＰＣＭ復号器２１１と、ＰＣＭ符号器２１２と、ＡＤＰＣＭ復号器２１３と、ＡＤＰＣＭ符号器２１４と、制御メッセージ抽出回路２１５と、制御メッセージ挿入回路２１６と、デジタル専用線インタフェース回路２１７と、制御部２１８と、記憶部２１９と、表示部２２０と、設定ボタン２２１と、無音検出回路２２２とを含んで構成されている。
【００４４】
レバースリレー２０１は、アナログ電話機６を接続する２ワイヤ形式のアナログ回線に対して給電する電源極性をノーマル状態か又はレバース状態かにする（すなわち、極性反転信号を送出する）ものであって、該レバースリレー２０１が有するリレー接点ｒｅｖを該アナログ回線に備え、制御部２１８の制御によって、リレー接点ｒｅｖを作動させて該アナログ回線をノーマル状態／レバース状態のいずれかの状態にする機能を有する。
【００４５】
呼出信号リレー２０２は、アナログ電話機６を接続するアナログ回線に対して呼出信号を送出するものであって、該呼出信号リレー２０２が有するリレー接点ｒｇを該アナログ回線に備え、制御部２１８の制御によって、リレー接点ｒｇを作動させて該アナログ回線に呼出信号を送出する機能を有するものである。
【００４６】
信号送出回路２０３は、アナログ電話機６を接続するアナログ回線に対して送出する呼出信号を生成し出力するものであり、この呼出信号は、リレー接点ｒｇを介してアナログ回線に送出される。
【００４７】
給電回路２０４は、アナログ電話機６を接続するアナログ回線に接続され、該アナログ回線に通話電流を給電すると共に、制御部２１８の制御下において、アナログ回線に対する給電をオン／オフのいずれかの状態にする機能を有するものである。
【００４８】
ループ検出回路２０５は、アナログ電話機６を接続するアナログ回線に接続され、該アナログ回線がループ状態か又はループ断状態かを検出して、この検出結果を、制御部２１８に通知するものである。
【００４９】
ハイブリッド回路２０８は、直流成分をカットするコンデンサ２０６及び２０７を介してアナログ電話機６を接続するアナログ回線に接続され、回線の２ワイヤ／４ワイヤ変換を行うものである。すなわち、アナログ電話機６を接続するアナログ回線は２ワイヤ形式の回線であって、この回線上ではアナログ２ワイヤ形式の信号がやりとりされているため、ハイブリッド回路２０８によって、このアナログ２ワイヤ形式の信号を送信方向のアナログ２ワイヤと受信方向のアナログ２ワイヤから成るアナログ４ワイヤ形式の信号に変換し、また、これらアナログ４ワイヤ形式の信号をアナログ２ワイヤ形式の信号に変換している。
【００５０】
アッテネータ２１０は、ハイブリッド回路２０８から得た送信方向のアナログ信号の信号レベルを調整するものである。なお、この信号レベルの調整は、制御部２１８の制御によって行われる。
【００５１】
ＰＣＭ符号器２１２は、アッテネータ２１０から得たアナログ信号をＩＴＵ−Ｔ勧告のＧ．７１１に従ったＰＣＭ信号（８ｋＨｚサンプリングで８ビットデータとした６４ｋｂ／ｓのデジタル信号）に符号化するものである。
【００５２】
ＡＤＰＣＭ符号器２１４は、ＰＣＭ符号器２１２から得たＰＣＭ信号をＩＴＵ−Ｔ勧告のＧ．７２６に従ったＡＤＰＣＭ信号（８ｋＨｚサンプリングで４ビットデータとした３２ｋｂ／ｓのデジタル信号）に圧縮するものである。
【００５３】
制御メッセージ挿入回路２１６は、ＡＤＰＣＭ符号器から得たＡＤＰＣＭ信号（ＡＤＰＣＭ符号化フレーム）の中に、制御部２１８から得た制御メッセージ（ループ／ループ断信号Ｃ２４等の制御信号に対応する制御メッセージ）を挿入するものである。
【００５４】
デジタル専用線インタフェース回路２１７は、デジタル専用線３とのインタフェースを行うものであって、制御メッセージ挿入回路２１６から得たＡＤＰＣＭ信号及び制御メッセージで構成された符号化フレーム（３２ｋｂ／ｓのデジタル信号）をデジタル専用線３に送出すると共に、このデジタル専用線３から得た符号化フレーム（３２ｋｂ／ｓのデジタル信号）を受信し、これを制御メッセージ抽出回路２１５に送出するものである。
【００５５】
制御メッセージ抽出回路２１５は、デジタル専用線インタフェース回路２１７から得た符号化フレームに含まれる制御メッセージ（給電オン／オフ信号Ｃ１１、ノーマル／レバース信号Ｃ１２及び呼出信号オン／オフ信号Ｃ１３等の制御信号に対応する制御メッセージ）を抽出し、これを制御部２１８に送出すると共に、制御メッセージ以外のＡＤＰＣＭ信号（ＡＤＰＣＭ符号化フレーム）をＡＤＰＣＭ復号器２１３に送出するものである。
【００５６】
ＡＤＰＣＭ復号器２１３は、制御メッセージ抽出回路２１５から得たＡＤＰＣＭ信号をＰＣＭ信号に復号するものである。
【００５７】
ＰＣＭ復号器２１１は、ＡＤＰＣＭ復号器２１３から得たＰＣＭ信号をアナログ信号に復号化するものである。
【００５８】
アッテネータ２０９は、ＰＣＭ復号器２１１から得た受信方向のアナログ信号の信号レベルを調整し、これをハイブリッド回路２０８に送出するものである。なお、この信号レベルの調整は、制御部２１８の制御によって行われる。
【００５９】
制御部２１８は、通信装置（Ｂ）２の全体を制御するものであって、ループ検出回路２０５から得られる信号状態を微小時間周期（以下、本実施の形態では１００マイクロ秒周期を例として説明する。）で検出し、これらの検出結果から、ループ／ループ断信号Ｃ２４等の制御信号に対応する制御メッセージを生成して、これを制御メッセージ挿入回路２１６に送出すると共に、制御メッセージ抽出回路２１５から得られる給電オン／オフ信号Ｃ１１、ノーマル／レバース信号Ｃ１２及び呼出信号オン／オフ信号Ｃ１３等の制御信号に対応する制御メッセージを微小時間周期（以下、本実施の形態では１００マイクロ秒周期を例として説明する。）で検出し、これに応じて即時に、給電回路２０４の給電オン／オフ制御、レバースリレー２０１のノーマル／レバース制御及び呼出信号リレー２０２の呼出信号オン／オフ制御をそれぞれ行うものである。
【００６０】
記憶部２１９は、制御部２１８が通信装置（Ｂ）２の全体を制御するために必要な制御プログラムや各種動作条件情報を格納すると共に、制御部２１８が各種制御を行うために必要なワークスペース（情報の一時的な記憶部）を提供するものである。
【００６１】
表示部２２０は、通信装置（Ｂ）２の通信状態、各種動作条件情報及び各種設定情報を可視的に表示するものであって、これは制御部２１８の制御によって作動するものである。
【００６２】
設定ボタン２２１は、通信装置（Ｂ）２の各種動作内容を設定する際に用いられるものであって、この設定内容は制御部２１８が読み取り、動作条件情報として記憶部２１９に格納される。なお、各種動作内容を設定する際、制御部２１８の制御によって表示部２２０へ設定内容が表示されるようにしてある。
【００６３】
無音検出回路２２２は、アッテネータ２１０の出力に接続されており、アナログ電話機６から出力され、ハイブリッド回路２０８及びアッテネータ２１０を介して得た音声信号が無音状態か否かを検出するものであり、無音を検出したとき、この検出結果を制御部２１８に通知する機能を有する。
【００６４】
以上のとおり、通信装置（Ｂ）２が構成されている。
【００６５】
次に、本実施の形態の通信装置（Ａ）１及び通信装置（Ｂ）２の間において、給電オン／オフ、レバース／ノーマル、呼出信号オン／オフ及びループ／ループ断の制御信号を、デジタル専用線３を介して送受するために使用する制御メッセージについて説明する。
【００６６】
本実施の形態では、前記制御メッセージを、アナログ信号をＰＣＭ符号器でＰＣＭ符号化した後、ＡＤＰＣＭ符号器によりＡＤＰＣＭ符号化された４ビットフレームのデジタル信号（３２ｋｂ／ｓ）が取り得ない値を持つ４ビットフレームのデジタル信号を含む複数の４ビットフレームで構成している。
【００６７】
上述したように、本実施の形態では、ＡＤＰＣＭ符号器によって、ＩＴＵ−Ｔ勧告のＧ．７２６に従った３２ｋｂ／ｓのＡＤＰＣＭ圧縮を行わせている。ＩＴＵ−Ｔ勧告のＧ．７２６において、デジタル信号は４ビットフレームで表される。ここで、ＩＴＵ−Ｔ勧告のＧ．７２６に従っている場合、ＡＤＰＣＭ符号器から出力される４ビットフレームが全て“０”に変換されることはその規格上あり得ない。そこで、本実施の形態では、ビット値が全て“０”の４ビットフレームを、前記制御メッセージの識別情報として用いている。
【００６８】
図４は、本実施の形態の通信装置（Ａ）１及び通信装置（Ｂ）２の間において、給電オン／オフ、レバース／ノーマル、呼出信号オン／オフ及びループ／ループ断の制御信号を、デジタル専用線３を介して送受するのに使用する制御メッセージを説明する図である。
【００６９】
図４に示す例では、前記制御メッセージを、４ビットフレームを６フレーム用いて表し、そのうち１番目のフレーム（フレームＦ１）及び２番目のフレーム（フレームＦ２）を、ビット値が全て“０”の固定フレームとしている。そして、この２つのフレームを、前記制御メッセージを表す６フレームのヘッダ４１としている。また、３番目のフレーム（フレームＦ３）ないし６番目のフレーム（フレームＦ６）を所定の情報要素４２を格納する可変フレームとしている。
【００７０】
次に、情報要素４２について説明する。フレームＦ３はＡＣＫフラグ領域４２ａを有し、フレームＦ４はサム値領域４２ｂを有し、フレームＦ５はシーケンス番号領域４２ｃ及び状態問合せ領域４２ｄを有し、更に、フレームＦ６は機種種別領域４２ｅ及び信号線状態領域４２ｆを有している。
【００７１】
フレームＦ３において、この４ビット目、３ビット目及び２ビット目には、予め定められた固定的な値がそれぞれ“１”、“０”、“０”として格納され、この１ビット目のＡＣＫフラグ領域４２ａには、制御メッセージが送信メッセージか又は該送信メッセージに対する受信通知メッセージ（以下「ＡＣＫ」ともいう）かを示すＡＣＫフラグが格納されるように定義されている。そして、このＡＣＫフラグには、制御メッセージが送信メッセージの場合には“０”が格納され、また、制御メッセージが受信通知メッセージの場合には“１”が格納される。
【００７２】
フレームＦ４において、サム値領域４２ｂには、フレームＦ３の４ビットとフレームＦ５の４ビットとフレームＦ６の４ビットとを加算した値（０〜１５）がサム値として格納される。
【００７３】
フレームＦ５において、この１ビットないし３ビット目のシーケンス番号領域４２ｃには、送信する制御メッセージ（送信メッセージ）の順序番号がシーケンス番号（１〜７）として格納され、この値は“７”の次は“１”に戻るように定義されていて、１〜７をローテーションさせた値が格納される。また、この４ビット目の状態問合せ領域４２ｄには、対向装置の信号線状態を問い合わせるか否かを識別するフラグが格納される。この値が“０”の場合は対向する通信装置の信号線状態を問い合わせしない旨を示し、この値が“１”の場合は対向する通信装置の信号線状態を問い合わせする旨を示している。
【００７４】
フレームＦ６において、この４ビット目の機種種別領域４２ｅには、機種種別が格納され、また、この３ビット目、２ビット目及び１ビット目の信号線状態領域４２ｆには、各種信号状態が格納されるように定義されていて、更に、この機種種別領域４２ｅに格納された値（“０”又は“１”）によって、この３ビット目、２ビット目及び１ビット目の信号線状態領域４２ｆの使用目的が異なるように定義されている。
【００７５】
図５は、図４に示すフレームＦ６の構成の詳細を説明する図である。
【００７６】
図５において、機種種別領域４２ｅ（フレームＦ６の４ビット目）の値が“０”の場合は、この３ビット目、２ビット目及び１ビット目の信号線状態領域４２ｆが、通信装置（Ａ）１から通信装置（Ｂ）２に対して送出する対アナログ電話機用のものであることを示し、この場合、３ビット目には、アナログ電話機６を接続する回線への給電オン／オフを示す制御信号が格納され、２ビット目には、アナログ電話機６を接続する回線極性のノーマル／レバースを示す制御信号が格納され、更に、１ビット目には、アナログ電話機６を接続する回線への呼出信号オン／オフを示す制御信号が格納される。
【００７７】
また、機種種別領域４２ｆ（フレームＦ６の４ビット目）の値が“１”の場合は、この３ビット目、２ビット目及び１ビット目の信号線状態領域４２ｆが、通信装置（Ｂ）２から通信装置（Ａ）１に対して送出する対ＰＢＸ用のものであることを示し、この場合、３ビット目及び２ビット目には、固定的に“０”が格納され、更に、１ビット目には、ライン回路４２ｂに接続される回線のループ／ループ断を示す制御信号が格納される。
【００７８】
図６は、本実施の形態における制御メッセージの送受信の概要を説明する図である。なお、図６においては、送信側通信装置を通信装置（Ａ）１とし、受信側通信装置を通信装置（Ｂ）２とした場合を例にして説明している。
【００７９】
まず、通信装置（Ａ）１のＡＤＰＣＭ符号器１１３は、ＰＣＭ符号器１１１から得たＰＣＭ信号をＡＤＰＣＭ信号に圧縮し、この結果、ＡＤＰＣＭ信号の４ビットのＡＤＰＣＭ符号化フレームとして、「ＡＡＡＡ」、「ＢＢＢＢ」、「ＣＣＣＣ」、「ＤＤＤＤ」、「ＥＥＥＥ」、「ＦＦＦＦ」、「ＧＧＧＧ」、「ＨＨＨＨ」を順に、制御メッセージ挿入回路１１５に送出しているものとする。
【００８０】
これに対して、制御部１１８が所定の周期（例えば、１００マイクロ秒周期）で、給電検出回路１０１、極性反転信号検出回路１０２又は呼出信号検出回路１０３から給電オン／オフ、ノーマル／レバース又は呼出信号オン／オフの信号状態を検出しており、これらの信号状態が一つ前に読み取った信号状態から何らかの変化があったことを認識すると、図４及び図５で説明した制御メッセージの定義に従い、これら給電検出回路１０１、極性反転信号検出回路１０２又は呼出信号検出回路１０３の最新の信号状態を信号線状態領域４２ｆに格納した制御メッセージを生成する。そして、この制御メッセージを６つのフレーム構成として「フレームＦ１（００００）」、「フレームＦ２（００００）」、「フレームＦ３（ＡＣＫフラグ領域４２ａを含む４ビット）」、「フレームＦ４（サム値領域４２ｂを含む４ビット）」、「フレームＦ５（シーケンス番号領域４２ｃ及び状態問合せ領域４２ｄを含む４ビット）」、「フレームＦ６（機種種別領域４２ｅ及び信号線状態領域４２ｆを含む４ビット）」を順に、制御メッセージ挿入回路１１５に送出する。
【００８１】
一方、制御メッセージ挿入回路１１５では、制御部１１８から制御メッセージを受信したことを認識すると、即時に、ＡＤＰＣＭ符号器１１３から受けたＡＤＰＣＭ符号化フレームに、この制御メッセージの６つのフレームを挿入して、これを出力する。すなわち、この場合、制御メッセージ挿入回路１１５からは、「ＡＡＡＡ」、「００００（フレームＦ１）」、「００００（フレームＦ２）」、「フレームＦ３」、「フレームＦ４」、「フレームＦ５」、「フレームＦ６」、「ＨＨＨＨ」が順に出力される。従って、ＡＤＰＣＭ符号器１１３から送出された４ビットのＡＤＰＣＭ符号化フレームの内、「ＢＢＢＢ」、「ＣＣＣＣ」、「ＤＤＤＤ」、「ＥＥＥＥ」、「ＦＦＦＦ」及び「ＧＧＧＧ」の６つのフレームは破棄されるものとなる。
【００８２】
そうすると、この制御メッセージが挿入されたＡＤＰＣＭ符号化フレーム、すなわち、「ＡＡＡＡ」、「００００（フレームＦ１）」、「００００（フレームＦ２）」、「フレームＦ３」、「フレームＦ４」、「フレームＦ５」、「フレームＦ６」及び「ＨＨＨＨ」がデジタル専用線インタフェース回路１１７を介してデジタル専用線３に送出される。
【００８３】
これに対して、通信装置（Ｂ）２の制御メッセージ抽出回路２１５では、デジタル専用線インタフェース回路２１７を介してデジタル専用線３上のＡＤＰＣＭ符号化フレームを受信すると、その中に、「００００」及び「００００」のフレームが連続している制御メッセージのヘッダーが存在するかどうかを検出する。ここで、制御メッセージのヘッダーを検出して制御メッセージを受信したことを認識すると、この制御メッセージのヘッダーフレーム（「００００」＋「００００」）を含む６つのフレーム、すなわち、「００００（フレームＦ１）」、「００００（フレームＦ２）」、「フレームＦ３」、「フレームＦ４」、「フレームＦ５」及び「フレームＦ６」を抽出して、これを制御メッセージとして制御部２１８に送出する。
【００８４】
また、制御メッセージ抽出回路２１５は、制御メッセージの６つのフレームを除いたＡＤＰＣＭ符号化フレームをＡＤＰＣＭ復号器２１３に送出するが、このとき、制御メッセージが存在した６つのフレーム位置に「１１１１」をダミーのＡＤＰＣＭ符号化フレームとして挿入する。従って、この場合、制御メッセージ抽出回路２１５からＡＤＰＣＭ復号器２１３に送出されるＡＤＰＣＭ符号化フレームは、「ＡＡＡＡ」、「１１１１」、「１１１１」、「１１１１」、「１１１１」、「１１１１」、「１１１１」及び「ＨＨＨＨ」となる。なお、ＡＤＰＣＭ符号化フレームとしてダミーフレーム「１１１１」を挿入することで、ＡＤＰＣＭ復号器２１３での異常復号化を人間が認識しにくい程度に防ぎ、これによって、ＡＤＰＣＭ復号化での音声ノイズ発生を防止している。
【００８５】
制御部２１８では、制御メッセージの６つのフレームを受信すると、図４及び図５に示す定義に従って、この中の信号線状態領域４２ｆを読み取り、この信号線状態に応じて、通信装置（Ｂ）２の給電回路２０４の給電オン／オフ制御、レバースリレー２０１の作動制御（ノーマル／レバース制御）又は呼出信号リレー２０２の作動制御（呼出信号オン／オフ制御）を行う。
【００８６】
なお、図６においては、送信側通信装置を通信装置（Ａ）１とし、受信側通信装置を通信装置（Ｂ）２とした場合を例にして説明しているが、送信側通信装置を通信装置（Ｂ）２とし、受信側通信装置を通信装置（Ａ）１とした場合であっても全く同様の動作を行う。
【００８７】
この場合、送信側の通信装置（Ａ）１のＡＤＰＣＭ符号器１１３、制御部１１８及び制御メッセージ挿入回路１１５がそれぞれ、通信装置（Ｂ）２のＡＤＰＣＭ符号器２１４、制御部２１８及び制御メッセージ挿入回路２１６に置き換えられ、また、受信側の通信装置（Ｂ）２の制御メッセージ抽出回路２１５、制御部２１８及びＡＤＰＣＭ復号器２１３がそれぞれ、通信装置（Ａ）１の制御メッセージ抽出回路１１６、制御部１１８及びＡＤＰＣＭ復号器１１４に置き換えられる。そして、通信装置（Ｂ）２から通信装置（Ａ）１に送出される制御メッセージの中の信号線状態領域４２ｆには、ループ検出回路２０５で検出したループ／ループ断を示す信号状態が含まれることなり、通信装置（Ａ）１では、制御メッセージの中の信号線状態領域４２ｆの信号線状態に応じてループ形成回路１０５の制御を行う。
【００８８】
このように、一つの制御メッセージを短いメッセージ長（２４ビット）の構成とし、送信側の通信装置から受信側の通信装置に、一つの制御メッセージを短時間（７５０マイクロ秒）で伝達することによって、例えば、ダイヤルパルス信号（ループ／ループ断）や呼出信号（呼出信号オン／オフ）など微小変化が生じる各種信号線状態を即時に通知できるようにしている。従って、このような微小変化が生じる各種信号線状態をトランスペアレントに伝達することが可能となる。また、複数の信号線状態を一つの制御メッセージで伝達することで、送受信される制御メッセージ数を削減し、対向する通信装置に対して効率よく信号線状態を通知することを可能にしている。
【００８９】
次に、本実施の形態における通信装置（Ａ）１と通信装置（Ｂ）２の間の制御メッセージの伝達手順のシーケンスについて説明する。なお、以下の説明に用いられる制御メッセージは、先に、図４及び図５を用いて説明した構成のものである。
【００９０】
図７は、本実施の形態における制御メッセージの伝達手順の基本シーケンスである。図７において、送信側の通信装置で、監視点の信号状態が一つ前に読み取った信号状態から何らかの変化があったことを認識し、制御メッセージの送信要因が発生したものとする（Ｓ７０１）。すると、送信側の通信装置は、ＡＣＫフラグ領域４２ａに“０”をセットし、また、前記監視点の信号状態を信号線状態領域４２ｆに格納した制御メッセージを生成して、これを受信側の通信装置に送信する（Ｓ７０２）。一方、受信側の通信装置では、この制御メッセージを受信し（Ｓ７０３）、制御メッセージに含まれる信号線状態領域４２ｆ内の信号状態に応じた処置を行う。また、受信側の通信装置は、ＡＣＫフラグ領域に“１”をセットしたＡＣＫメッセージを送信側の通信装置に送信する（Ｓ７０４）。なお、このＡＣＫメッセージのシーケンス番号領域４２ｃ、状態問合せ領域４２ｄ、機種種別領域４２ｅ及び信号線状態領域４２ｆには受信した制御メッセージの内容をそのまま格納しているものとする。これにより、送信側の通信装置において、受信側の通信装置に制御メッセージが正常に送達されたことを認識可能にしている。
【００９１】
図８は、本実施の形態における制御メッセージの伝達手順でフレームＦ３の先頭３ビットが異常のときのシーケンスである。図８において、送信側の通信装置で、監視点の信号状態が一つ前に読み取った信号状態から何らかの変化があったことを認識し、制御メッセージの送信要因が発生したものとする（Ｓ８０１）。すると、送信側の通信装置は、制御メッセージを生成して、これを受信側の通信装置に送信するが、デジタル専用線３上で回線擾乱が発生したものとする（Ｓ８０２）。受信側の通信装置では、制御メッセージを受信するが、フレームＦ３の先頭３ビットが「１００」以外であると判断すると、この制御メッセージを異常メッセージと認識して破棄する（Ｓ８０３）。これにより、受信側の通信装置において、制御メッセージのエラー認識を可能としている。なお、受信側の通信装置では、制御メッセージが異常であるため、ＡＣＫメッセージの送信処理は行わない。
【００９２】
一方、送信側の通信装置では、ＡＣＫメッセージが送られてこないため、ＡＣＫメッセージ待ちのタイムアウト（例えば、１００ミリ秒）により、制御メッセージが正常に受信側の通信装置に届かなかったことを認識し（Ｓ８０４）、先に送出した制御メッセージを再度送信する（Ｓ８０５）。一方、受信側の通信装置では、この制御メッセージを受信し（Ｓ８０６）、制御メッセージに含まれる信号線情報領域４２ｆ内の信号状態に応じた処置を行う。また、受信側の通信装置は、ＡＣＫフラグ領域４２ａに“１”をセットしたＡＣＫメッセージを送信側の通信装置に送信する（Ｓ８０７）。これにより、送信側の通信装置において、受信側の通信装置に制御メッセージが正常に送達されたことを認識可能にしている。
【００９３】
図９は、本実施の形態における制御メッセージの伝達手順でサム値領域４２ｂ内のサム値が異常のときのシーケンスである。図９において、送信側の通信装置で、監視点の信号状態が一つ前に読み取った信号状態から何らかの変化があったことを認識し、制御メッセージの送信要因が発生したものとする（Ｓ９０１）。すると、送信側の通信装置は、制御メッセージを生成して、これを受信側の通信装置に送信するが、デジタル専用線３上で回線擾乱が発生し、サム値領域４２ｂ内のサム値が異常になったものとする（Ｓ９０２）。受信側の通信装置では、制御メッセージを受信するが、サム値が正常な値でないため、この制御メッセージを異常メッセージとして破棄し、ＡＣＫメッセージの送信処理は行わない（Ｓ９０３）。
【００９４】
一方、送信側の通信装置では、ＡＣＫメッセージが送られてこないため、ＡＣＫメッセージ待ちのタイムアウト（例えば、１００ミリ秒）により、制御メッセージが正常に受信側の通信装置に届かなかったことを認識し（Ｓ９０４）、先に送出した制御メッセージを再度送信する（Ｓ９０５）。一方、受信側の通信装置では、この制御メッセージを受信し（Ｓ９０６）、制御メッセージに含まれる信号線状態領域４２ｆ内の信号状態に応じた処置を行う。また、受信側の通信装置は、ＡＣＫフラグ領域４２ａに“１”をセットしたＡＣＫメッセージを送信側の通信装置に送信する（Ｓ９０７）。これにより、送信側の通信装置において、受信側の通信装置に制御メッセージが正常に送達されたことを認識可能にしている。
【００９５】
図１０は、本実施の形態における制御メッセージの伝達手順で、制御メッセージが紛失したときのシーケンスである。図１０において、送信側の通信装置で、監視点の信号状態が一つ前に読み取った信号状態から何らかの変化があったことを認識し、制御メッセージの送信要因が発生したものとする（Ｓ１００１）。すると、送信側の通信装置は、ＡＣＫフラグ領域４２ａに“０”をセットした制御メッセージを生成して、これを受信側の通信装置に送信するが、デジタル専用線３上でメッセージが紛失したものとする（Ｓ１００２）。
【００９６】
この場合、受信側の通信装置から制御メッセージの受信に対するＡＣＫメッセージが返送されず、送信側の通信装置では、ＡＣＫメッセージ待ちのタイムアウト（例えば、１００ミリ秒）により、制御メッセージが正常に受信側の通信装置に届かなかったことを認識し（Ｓ１００３）、先に送出した制御メッセージを再度送信する（Ｓ１００４）。一方、受信側の通信装置では、この制御メッセージを受信し（Ｓ１００５）、制御メッセージに含まれる信号線状態領域４２ｆ内の信号状態に応じた処置を行う。また、受信側の通信装置は、ＡＣＫフラグ領域４２ａに“１”をセットしたＡＣＫメッセージを送信側の通信装置に送信する（Ｓ１００６）。これにより、送信側の通信装置において、受信側の通信装置に制御メッセージが正常に送達されたことを認識可能にしている。
【００９７】
図１１は、本実施の形態における制御メッセージの伝達手順で、ＡＣＫメッセージが紛失したときのシーケンスである。図１１において、送信側の通信装置で、監視点の信号状態が一つ前に読み取った信号状態から何らかの変化があったことを認識し、制御メッセージの送信要因が発生したものとする（Ｓ１１０１）。すると、送信側の通信装置は、ＡＣＫフラグ領域４２ａに“０”をセットした制御メッセージを生成して、これを受信側の通信装置に送信する（Ｓ１１０２）。一方、受信側の通信装置では、この制御メッセージを受信し（Ｓ１１０３）、制御メッセージに含まれる信号線状態領域４２ｆ内の信号状態に応じた処置を行う。また、受信側の通信装置は、ＡＣＫフラグ領域４２ａに“１”をセットしたＡＣＫメッセージを送信側の通信装置に送信するが、デジタル専用線３上でＡＣＫメッセージが紛失したものとする（Ｓ１１０４）。
【００９８】
この場合、受信側の通信装置から制御メッセージの受信に対するＡＣＫメッセージが返送されず、送信側の通信装置では、ＡＣＫメッセージ待ちのタイムアウト（例えば、１００ミリ秒）により、制御メッセージが正常に受信側の通信装置に届かなかったことを認識し（Ｓ１１０５）、先に送出した制御メッセージを再度送信する（Ｓ１１０６）。一方、受信側の通信装置では、この制御メッセージを受信し（Ｓ１１０７）、制御メッセージに含まれる信号線状態領域４２ｆ内の信号状態に応じた処置を行う。また、受信側の通信装置は、ＡＣＫフラグ領域４２ａに“１”をセットしたＡＣＫメッセージを送信側の通信装置に送信する（Ｓ１１０８）。これにより、送信側の通信装置において、受信側の通信装置に制御メッセージが正常に送達されたことを認識可能にしている。
【００９９】
図１２は、本実施の形態における制御メッセージの伝達手順で、ＡＣＫメッセージのサム値が異常のときのシーケンスである。図１２において、送信側の通信装置で、監視点の信号状態が一つ前に読み取った信号状態から何らかの変化があったことを認識し、制御メッセージの送信要因が発生したものとする（Ｓ１２０１）。すると、送信側の通信装置は、ＡＣＫフラグ領域４２ａに“０”をセットした制御メッセージを生成して、これを受信側の通信装置に送信する（Ｓ１２０２）。一方、受信側の通信装置では、この制御メッセージを受信し（Ｓ１２０３）、制御メッセージに含まれる信号線状態領域４２ｆ内の信号状態に応じた処置を行う。また、受信側の通信装置は、ＡＣＫフラグ領域に“１”をセットしたＡＣＫメッセージを送信側の通信装置に送信するが、デジタル専用線３上の回線擾乱などが発生し、ＡＣＫメッセージのサム値が異常になったものとする（Ｓ１２０４）。
【０１００】
受信側の通信装置では、ＡＣＫメッセージを受信するが、サム値領域４２ｂ内のサム値が正常な値でないため、このＡＣＫメッセージを異常メッセージとして破棄する処理を行う（Ｓ１２０５）。そして、ＡＣＫメッセージ待ちのタイムアウト（例えば、１００ミリ秒）により、制御メッセージが正常に受信側の通信装置に届かなかったことを認識し（Ｓ１２０６）、先に送出した制御メッセージを再度送信する（Ｓ１２０７）。一方、受信側の通信装置では、この制御メッセージを受信し（Ｓ１２０８）、制御メッセージに含まれる信号線状態領域４２ｆ内の信号状態に応じた処置を行う。また、受信側の通信装置は、ＡＣＫフラグ領域４２ａに“１”をセットしたＡＣＫメッセージを送信側の通信装置に送信する（Ｓ１２０９）。これにより、送信側の通信装置において、受信側の通信装置に制御メッセージが正常に送達されたことを認識可能にしている。
【０１０１】
図１３は、本実施の形態における制御メッセージの伝達手順で、シーケンス番号領域４２ｃ内のシーケンス番号が正常のときのシーケンスである。図１３において、送信側の通信装置で、監視点の信号状態が一つ前に読み取った信号状態から何らかの変化があったことを認識し、制御メッセージの送信要因が発生したものとする（Ｓ１３０１）。すると、送信側の通信装置は、ＡＣＫフラグ領域に“０”をセットし、また、シーケンス番号領域４２ｃに“１”をセットした制御メッセージを生成して、これを受信側の通信装置に送信する（Ｓ１３０２）。一方、受信側の通信装置では、この制御メッセージを受信し（Ｓ１３０３）、制御メッセージに含まれる信号線状態領域４２ｆ内の信号状態に応じた処置を行う。また、受信側の通信装置は、ＡＣＫフラグ領域に“１”をセットし、また、シーケンス番号領域４２ｃに“１”をセットしたＡＣＫメッセージを送信側の通信装置に送信する（Ｓ１３０４）。なお、このＡＣＫメッセージの状態問合せ領域４２ｄ、機種種別領域４２ｅ及び信号線状態領域４２ｆには受信した制御メッセージの内容をそのまま格納しているものとする。
【０１０２】
この後、また、送信側の通信装置で制御メッセージの送信要因が発生すると（Ｓ１３０５）、送信側の通信装置は、ＡＣＫフラグ領域４２ａに“０”をセットし、また、シーケンス番号領域４２ｃに“２”をセットした制御メッセージを生成して、これを受信側の通信装置に送信する（Ｓ１３０６）。一方、受信側の通信装置では、この制御メッセージを受信し（Ｓ１３０７）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ｃに“２”をセットしたＡＣＫメッセージを送信側の通信装置に送信する（Ｓ１３０８）。
【０１０３】
このように、シーケンス番号領域４２ｃ内のシーケンス番号を一つずつ加算して、制御メッセージの送信を行い、送信側の通信装置で７番目の制御メッセージの送信要因が発生すると（Ｓ１３０９）、送信側の通信装置は、ＡＣＫフラグ領域４２ａに“０”をセットし、また、シーケンス番号領域４２ｃに“７”をセットした制御メッセージを生成して、これを受信側の通信装置に送信する（Ｓ１３１０）。一方、受信側の通信装置では、この制御メッセージを受信し（Ｓ１３１１）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ｃに“７”をセットしたＡＣＫメッセージを送信側の通信装置に送信する（Ｓ１３１２）。
【０１０４】
この後、また、送信側の通信装置で制御メッセージの送信要因が発生すると、送信側の通信装置は、シーケンス番号を“１”に戻して、これをシーケンス番号領域４２ｃにセットした制御メッセージを生成して、これを受信側の通信装置に送信する。そして、以下同様に、これを繰り返して行う。
【０１０５】
これにより、送信側の通信装置において、受信側の通信装置に最新の制御メッセージが正常に送達されたかどうかを認識可能にし、また、受信側の通信装置において、受信すべき制御メッセージの紛失があったかどうかを認識可能にしている。
【０１０６】
図１４は、本実施の形態における制御メッセージの伝達手順で、シーケンス番号領域４２ｃ内のシーケンス番号が異常のときのシーケンスである。図１４において、送信側の通信装置で、監視点の信号状態が一つ前に読み取った信号状態から何らかの変化があったことを認識し、制御メッセージの送信要因が発生したものとする（Ｓ１４０１）。すると、送信側の通信装置は、ＡＣＫフラグ領域４２ａに“０”をセットし、また、シーケンス番号領域４２ｃに“１”をセットした制御メッセージを生成して、これを受信側の通信装置に送信する（Ｓ１４０２）。一方、受信側の通信装置では、この制御メッセージを受信し（Ｓ１４０３）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ａに“１”をセットしたＡＣＫメッセージを送信側の通信装置に送信する（Ｓ１４０４）。
【０１０７】
この後、また、送信側の通信装置で制御メッセージの送信要因が発生すると（Ｓ１４０５）、送信側の通信装置は、ＡＣＫフラグ領域４２ａに“０”をセットし、また、シーケンス番号領域４２ｃに“２”をセットした制御メッセージを生成して、これを受信側の通信装置に送信するが、デジタル専用線３の障害などで、この制御メッセージが紛失したものとする（Ｓ１４０６）。
【０１０８】
この後、また、送信側の通信装置で制御メッセージの送信要因が発生すると（Ｓ１４０７）、送信側の通信装置は、ＡＣＫフラグ領域４２ａに“０”をセットし、また、シーケンス番号領域４２ｃに“３”をセットした制御メッセージを生成して、これを受信側の通信装置に送信する（Ｓ１４０８）。一方、受信側の通信装置では、この制御メッセージを受信し（Ｓ１４０９）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ｃに“３”をセットしたＡＣＫメッセージを送信側の通信装置に送信する（Ｓ１４１０）。
【０１０９】
これにより、送信側の通信装置において、受信側の通信装置に最新の制御メッセージ（シーケンス番号が“３”の制御メッセージ）が正常に送達されたかどうかを認識可能にし、また、受信側の通信装置において、受信すべき制御メッセージの内の一つ（シーケンス番号が“２”の制御メッセージ）を紛失したことを認識可能にしている。
【０１１０】
図１５は、本実施の形態における制御メッセージの伝達手順で、初回立上り時のシーケンスである。
【０１１１】
先ず、送信側の通信装置と受信側の通信装置の両方が電源オフの状態から、送信側の通信装置が電源オンの状態に変化したものとする（Ｓ１５０１、Ｓ１５０２）。すると、送信側の通信装置は、初回立上がり時の処理により、監視点の信号状態（初期状態）を読み取り（Ｓ１５０３）、ＡＣＫフラグ領域４２ａに“０”をセットし、また、前記監視点の信号状態を信号線状態領域４２ｆに格納した制御メッセージを生成して、これを受信側の通信装置に送信する（Ｓ１５０４）。受信側の通信装置が電源がオフの状態であるため、送信側の通信装置では、この制御メッセージに対するＡＣＫメッセージを受信することができず、ＡＣＫメッセージ待ちのタイムアウト（例えば、１００ミリ秒）により、制御メッセージが正常に受信側の通信装置に届かなかったことを認識し（Ｓ１５０５）、先に送出した制御メッセージを再度送信する（Ｓ１５０６）。
【０１１２】
また同様に、受信側の通信装置では、電源がオフの状態であるため、送信側の通信装置はこの制御メッセージに対するＡＣＫメッセージを受信することができず、ＡＣＫメッセージ待ちのタイムアウト（例えば、１００ミリ秒）により、制御メッセージが正常に受信側の通信装置に届かなかったことを認識する（Ｓ１５０７）。そして、送信側の通信装置は、制御メッセージを再度送信することになるが、このとき、監視点の信号状態が一つ前に読み取った信号状態から何らかの変化があった場合はこの信号状態を読み取り（Ｓ１５０８）、最新の信号状態を信号線状態領域４２ｆに格納した制御メッセージを送信する（Ｓ１５０９）。
【０１１３】
送信側の通信装置が制御メッセージの再送を継続している最中に（Ｓ１５１０、Ｓ１５１１）、受信側の通信装置の電源がオン状態に変化すると（Ｓ１５１２）、受信側の通信装置では、送信側の通信装置が送信した制御メッセージを受信し、制御メッセージに含まれる信号線状態領域４２ｆ内の信号状態に応じた処置を行う（Ｓ１５１３）。また、受信側の通信装置は、ＡＣＫフラグ領域４２ａに“１”をセットしたＡＣＫメッセージを送信側の通信装置に送信する（Ｓ１５１４）。
【０１１４】
このようにして、初期動作の際に、送信側の通信装置と受信側の通信装置間での信号線状態の整合性を採っている。
【０１１５】
図１６は、本実施の形態における制御メッセージの伝達手順で、デジタル専用線の伝送遅延が大きいときのシーケンスである。図１６において、送信側の通信装置で、監視点の信号状態が一つ前に読み取った信号状態から何らかの変化があったことを認識し、制御メッセージの送信要因が発生したものとする（Ｓ１６０１）。すると、送信側の通信装置は、ＡＣＫフラグ領域４２ａに“０”をセットし、シーケンス番号領域４２ｃに所定の値、例えば“１”をセットし、また、信号線状態領域４２ｆに信号状態に応じた内容をセットした制御メッセージを生成して、これを受信側の通信装置に送信する（Ｓ１６０２）。一方、受信側の通信装置では、この制御メッセージを受信し（Ｓ１６０３）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ｃに“１”をセットしたＡＣＫメッセージを送信側の通信装置に送信する（Ｓ１６０４）。
【０１１６】
また、送信側の通信装置で、新たに監視点の信号状態が一つ前に読み取った信号状態から何らかの変化があったことを認識し、制御メッセージの送信要因が発生したものとする（Ｓ１６０５）。すると、送信側の通信装置は、ＡＣＫフラグ領域４２ａに“０”をセットし、シーケンス番号領域４２ｃ内に、１を加算した値“２”をセットし、また、信号線状態領域４２ｆに信号状態に応じた内容の値をセットした制御メッセージを生成して、これを受信側の通信装置に送信する（Ｓ１６０６）。
【０１１７】
一方、受信側の通信装置では、この制御メッセージを受信し（Ｓ１６０７）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ｃに“２”をセットしたＡＣＫメッセージを送信側の通信装置に送信する（Ｓ１６０８）。
【０１１８】
この後、送信側の通信装置で、ステップＳ１６０４により、受信側の通信装置から送信されたＡＣＫメッセージを受けると、このＡＣＫメッセージに含まれるシーケンス番号が、ステップＳ１６０６による直前に送信した制御メッセージのシーケンス番号とは異なるので、このＡＣＫメッセージを無視して破棄する（Ｓ１６０９）。
【０１１９】
また、送信側の通信装置では、デジタル専用線の回線遅延により、ステップＳ１６０６によって送信した制御メッセージに対する、ステップＳ１６０８でのＡＣＫメッセージ待ちがタイムアウト（例えば、１００ミリ秒）になると、制御メッセージが正常に受信側の通信装置に届かなかったことを認識し（Ｓ１６１０）、先に送出した制御メッセージを再度送信する（Ｓ１６１１）。
【０１２０】
一方、受信側の通信装置では、この制御メッセージを受信し（Ｓ１６１２）、制御メッセージに含まれる信号線状態領域４２ｆ内の信号状態に応じた処置を行う。また、受信側の通信装置は、ＡＣＫフラグ領域４２ａに“１”をセットし、また、シーケンス番号領域４２ｃに“２”をセットしたＡＣＫメッセージを送信側の通信装置に送信する（Ｓ１６１３）。
【０１２１】
ところで、送信側の通信装置で、ステップＳ１６１１で制御メッセージを送信した後、ステップＳ１６０６で送信した制御メッセージに対する、ステップＳ１６０８のＡＣＫメッセージを受信するが、この場合、このＡＣＫメッセージのシーケンス番号が最後に送信した制御メッセージのシーケンス番号と同じものであるため、ステップＳ１６１１で送信した制御メッセージが正常に送達されたものとして認識する（Ｓ１６１４）。またこの後、送信側の通信装置で、ステップＳ１６１１で送信した制御メッセージに対する、ステップＳ１６１３のＡＣＫメッセージを受信するが、このＡＣＫメッセージのシーケンス番号が先に受信したＡＣＫメッセージのシーケンス番号と同一のため、送信側の通信装置では、これを無視して破棄する処理を行う（Ｓ１６１５）。
【０１２２】
このようにして、デジタル専用線３で大きな伝送遅延が生じている際に、送信側の通信装置と受信側の通信装置間での信号線状態の整合性をとり、伝送遅延を救済している。
【０１２３】
以上、本実施の形態における通信装置（Ａ）１と通信装置（Ｂ）２の間の制御メッセージの伝達手順のシーケンスを説明したが、図７ないし図１６に示すシーケンスは、送信側の通信装置が通信装置（Ａ）１で、受信側の通信装置が通信装置（Ｂ）２の場合、または、送信側の通信装置が通信装置（Ｂ）２で、受信側の通信装置が通信装置（Ａ）１の場合のどちらも場合でも、全く同一の動作が行われるものである。
【０１２４】
次に、本実施の形態において、デジタル専用線３が障害時の通信装置（Ａ）１及び通信装置（Ｂ）２の動作について説明する。
【０１２５】
図１７は、本実施の形態における制御メッセージの伝達手順で、デジタル専用線３が障害時のときのシーケンスである。
【０１２６】
図１７において、通信装置（Ａ）１のデジタル専用線インタフェース回路１１７がデジタル専用線３の障害（デジタル専用線のレイヤ１断など）を検出してこれを制御部１１８が認識した後、この障害状態が所定時間（例えば、３秒）連続すると、デジタル専用線３が障害中と判断する（Ｓ１７０１）。すると、制御部１１８は、ループ形成回路１０５を制御し、ＰＢＸ４のライン回路４２ｂの回線を強制的にループ断状態とする（Ｓ１７０２）。
【０１２７】
一方、同様に、通信装置（Ｂ）２のデジタル専用線インタフェース回路２１７がデジタル専用線３の障害（デジタル専用線のレイヤ１断など）を検出してこれを制御部２１８が認識した後、この障害状態が所定時間（例えば、３秒）連続すると、デジタル専用線３が障害中と判断する（Ｓ１７０３）。すると、制御部２１８は、強制的に給電回路２０４を給電オン状態とし、レバースリレー２０１をノーマル状態とし、また、呼出信号リレー２０２を呼出信号オフ状態とする（Ｓ１７０４）。
【０１２８】
この後、デジタル専用線３が復旧し、通信装置（Ａ）１のデジタル専用線インタフェース回路１１７がデジタル専用線３の復旧を検出してこれを制御部１１８が認識すると、給電検出回路１０１、極性反転信号検出回路１０２又は呼出信号検出回路１０３から給電オン／オフ、ノーマル／レバース又は呼出信号オン／オフの信号状態を読み取り（Ｓ１７０５）、ＡＣＫフラグ領域４２ａに“０”をセットし、シーケンス番号領域４２ｃに“１”をセットし、また、信号線状態領域４２ｆに読み取った信号状態に応じた内容の値をセットした制御メッセージを生成して、これを通信装置（Ｂ）２に送信する（Ｓ１７０６）。図１７においては、通信装置（Ｂ）２でデジタル専用線３の復旧を検出していないため、送信した制御メッセージに対するＡＣＫメッセージを所定時間以内に受信しないため、ＡＣＫメッセージ待ちのタイムアウト（例えば、１００ミリ秒）により、制御メッセージが正常に受信側の通信装置に届かなかったことを認識する（Ｓ１７０７）。すると、通信装置（Ａ）１は、制御メッセージを再度送信し（Ｓ１７０８）、正常にＡＣＫメッセージを受信するまでこれを繰り返す（Ｓ１７０９、Ｓ１７１０）。
【０１２９】
一方、通信装置（Ｂ）２のデジタル専用線インタフェース回路２１７がデジタル専用線３の復旧を検出してこれを制御部２１８が認識すると、ループ検出回路２０５からループ／ループ断の信号状態を読み取り（Ｓ１７１３）、ＡＣＫフラグ領域４２ａに“０”をセットし、シーケンス番号領域４２ｃに“１”をセットし、また、信号線状態領域４２ｆに読み取った信号状態に応じた内容の値をセットした制御メッセージを生成して、これを通信装置（Ａ）１に送信する（Ｓ１７１４）。
【０１３０】
一方、通信装置（Ａ）１では、この制御メッセージを受信し、制御メッセージに含まれる信号線状態領域４２ｆ内の信号状態に応じた処置を行い（Ｓ１７１５）、また、ＡＣＫフラグ領域４２ａに“１”をセットしたＡＣＫメッセージを送信側の通信装置に送信する（Ｓ１７１６）。
【０１３１】
また、通信装置（Ｂ）２では、ステップＳ１７１０により通信装置（Ａ）１から制御メッセージを受信し、制御メッセージに含まれる信号線状態領域４２ｆ内の信号状態に応じた処置を行い（Ｓ１７１１）、更に、ＡＣＫフラグ領域４２ａに“１”をセットしたＡＣＫメッセージを送信側の通信装置に送信する（Ｓ１７１２）。
【０１３２】
このようにして、デジタル専用線３が障害から復旧したときに、通信装置（Ａ）１及び通信装置（Ｂ）２間で信号線状態の整合をとるようにしている。
【０１３３】
次に、本実施の形態において、通信装置（Ａ）１がデジタル専用線３の障害を検出した場合など、通信装置（Ａ）１が対向する通信装置（Ｂ）２の最新状態を認識する必要が出たときの動作について説明する。
【０１３４】
図１８は、本実施の形態における制御メッセージの伝達手順で、一方の通信装置（Ａ）１が対向する通信装置（Ｂ）２の最新状態を認識する必要が出たときのシーケンスである。なお、図１８に示すシーケンスでは制御メッセージに対して送信されるＡＣＫメッセージの記載を省略する。
【０１３５】
図１８において、アナログ電話機６がオフフックすると、通信装置（Ｂ）２のループ検出回路２０５でこのオフクック（ループ）を検出し（Ｓ１８０１）、制御部２１８が信号線状態領域４２ｆにループを格納した制御メッセージ（ループ）を生成して通信装置（Ａ）１に送信する（Ｓ１８０２）。
【０１３６】
通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ１８０３）。このようにして、通信装置（Ａ）１と通信装置（Ｂ）２との両方がループ中の状態にあるとする（Ｓ１８０４、Ｓ１８０５）。
【０１３７】
この状態において、通信装置（Ａ）１のデジタル専用線インタフェース回路１１７がデジタル専用線３の障害を検出してこれを制御部１１８が認識した後、この障害状態が所定時間（例えば、３秒）連続すると、デジタル専用線３が障害中と判断する（Ｓ１８０６）。すると、制御部１１８は、ループ形成回路１０５を制御し、ＰＢＸ４のライン回路４２ｂの回線を強制的にループ断状態とする（Ｓ１８０７）。
【０１３８】
この後、即、通信装置（Ａ）１のデジタル専用線インタフェース回路１１７がデジタル専用線３の障害復旧を検出してこれを制御部１１８が認識すると（Ｓ１８０９）、制御部１１８は、通信装置（Ｂ）２に対して最新の信号線状態を問い合わせる必要があると判断する（Ｓ１８１０）。すなわち、制御部１１８は、状態問合せ領域４２ｄに“１”の値をセットした制御メッセージ（信号線状態問合せ）を生成して、これを通信装置（Ｂ）２に送信する（Ｓ１８１１）。
【０１３９】
通信装置（Ｂ）２の制御部２１８では、この制御メッセージ（信号線状態問合せ）を受信すると、ループ検出回路２０５の状態を読み取り（この場合はループ状態）（Ｓ１８１３）、信号線状態領域４２ｆにループを格納した制御メッセージ（ループ）を生成して通信装置（Ａ）１に送信する（Ｓ１８１４）。
【０１４０】
通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ１８１５）。
【０１４１】
このように、一方の通信装置で信号線強制停止が行われたときにおいて、専用線障害復旧タイミングのとき（対向する通信装置の最新の信号状態を得る必要が生じたとき）に、信号線状態問合せの制御メッセージを送信し、この制御メッセージを受け取った通信装置は、自装置の最新の信号線状態を対向する通信装置に送信するようにして、信号線状態のアンマッチを防いでいる。
【０１４２】
次に、図１に示すシステム構成図において、アナログ電話機６からＰＢＸ４の内線電話機５に発信する場合の動作を説明する。
【０１４３】
図１９は、アナログ電話機６がダイヤルパルス（ＤＰ）信号で電話番号を送出する場合のシーケンス図であり、また、図２０は、通信装置（Ｂ）２とアナログ電話機６とを接続している回線の信号波形状態を示す図である。なお、図１９に示すシーケンスでは制御メッセージに対して送信されるＡＣＫメッセージの記載を省略する。以下、図１９及び図２０に基づいて発信動作を説明する。
【０１４４】
まず、アナログ電話機６がオフフック（ループ）すると（Ｓ１９０１）、図２０のＳＴ２００１に示すように回線に通話電流が流れる。すると、通信装置（Ｂ）２のループ検出回路２０５でこのオフクック（ループ）を検出し、制御部２１８が信号線状態領域４２ｆにループを格納した制御メッセージ（ループ）を生成して通信装置（Ａ）１に送信する（Ｓ１９０２）。
【０１４５】
通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ１９０３）。これにより、ＰＢＸ４は発呼を認識して、発信音（ダイヤルトーン）をライン回路４２ｂ、通信装置（Ａ）１、デジタル専用線３及び通信装置（Ｂ）２を介してアナログ電話機６に送出する（Ｓ１９０４）。アナログ電話機６側では、この発信音を聴取して、接続先となる内線電話機５の電話番号をダイヤルパルス信号として送出する。
【０１４６】
ダイヤルパルス信号は、ループ断／ループの断続信号となるため、まず、図２０のＳＴ２００２に示すように回線の通話電流が止まる。すると、通信装置（Ｂ）２のループ検出回路２０５でこのループ断状態を検出し（Ｓ１９０５）、制御部２１８が即座に信号線状態領域４２ｆにループ断を格納した制御メッセージ（ループ断）を生成して通信装置（Ａ）１に送信する（Ｓ１９０６）。通信装置（Ａ）１の制御部１１８では、この制御メッセージ（ループ断）を受信すると、ループ形成回路１０５をループ断状態にし、ＰＢＸ４のライン回路４２ｂに対してループ断を形成する（Ｓ１９０７）。
【０１４７】
また、一つのダイヤルパルスを出すため、次に、図２０のＳＴ２００３に示すように回線の通話電流が流れる状態になる。すると、通信装置（Ｂ）２のループ検出回路２０５でこのループ状態を検出し（Ｓ１９０８）、制御部２１８が即座に信号線状態領域４２ｆにループを格納した制御メッセージ（ループ）を生成して通信装置（Ａ）１に送信する（Ｓ１９０９）。通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ１９１０）。
【０１４８】
これによって、アナログ電話機６からライン回路４２ｂに対して一つのダイヤルパルスが送出される。そして、図２０のＳＴ２００４ないしＳＴ２００７に示すように、回線の通話電流が断続的に流れるためこれらに応じて、ループ断／ループの制御メッセージの送信を繰り返して、アナログ電話機６から送出されたダイヤルパルス信号による電話番号をトランスペアレントにライン回路４２ｂに送出する（Ｓ１９１１ないしＳ１９２２）。
【０１４９】
一方、ＰＢＸ４のライン回路４２ｂでダイヤルパルス信号（電話番号）を受信すると、中央制御装置４５で着信先の内線電話機５を認識し、この内線電話機５を呼び出すと共に、呼出音（リングバックトーン）をライン回路４２ｂ、通信装置（Ａ）１、デジタル専用線３及び通信装置（Ｂ）２を介してアナログ電話機６に送出する（Ｓ１９２３）。これにより、アナログ電話機６では内線電話機５が呼出中であることを認識する。
【０１５０】
この後、着信先の内線電話機５が呼び出しの応答すると、呼出音の送出を停止し、ライン回路４２ｂでは応答信号として回線の極性をレバース状態にする。すると、通信装置（Ａ）１の極性反転信号検出回路１０２でこのレバース状態を検出し（Ｓ１９２４）、制御部１１８が即座に信号線状態領域４２ｆにレバースを格納した制御メッセージ（レバース）を生成して通信装置（Ｂ）２に送信する（Ｓ１９２５）。通信装置（Ｂ）２の制御部２１８では、この制御メッセージ（レバース）を受信すると、レバースリレー２０１をレバース状態にし、図２０のＳＴ２００８に示すように、アナログ電話機６を接続する回線極性をレバース状態にする（Ｓ１９２６）。
【０１５１】
そうすると、ライン回路４２ａ、通話路スイッチ４１、ライン回路４２ｂ、通信装置（Ａ）１、デジタル専用線３及び通信装置（Ｂ）２を介して、内線電話機５とアナログ電話機６とが通話状態になる（Ｓ１９２７）。
【０１５２】
この後、内線電話機５がオンフックして通話終了となると、ライン回路４２ｂでは終話信号として回線の極性をノーマル状態にする。すると、通信装置（Ａ）１の極性反転信号検出回路１０２でこのノーマル状態を検出し（Ｓ１９２８）、制御部１１８が即座に信号線状態領域４２ｆにノーマルを格納した制御メッセージ（ノーマル）を生成して通信装置（Ｂ）２に送信する（Ｓ１９２９）。通信装置（Ｂ）２の制御部２１８では、この制御メッセージ（ノーマル）を受信すると、レバースリレー２０１をノーマル状態にし、図２０のＳＴ２００９に示すように、アナログ電話機６を接続する回線極性をノーマル状態にして終話信号を送出する（Ｓ１９３０）。
【０１５３】
この後、ＰＢＸ４は、話中音（ビジートーン）をライン回路４２ｂ、通信装置（Ａ）１、デジタル専用線３及び通信装置（Ｂ）２を介してアナログ電話機６に送出する（Ｓ１９３１）。これにより、図２０のＳＴ２０１０に示すように、アナログ電話機６では終話を認識してオンフックする（Ｓ１９３２）。
【０１５４】
すると、通信装置（Ｂ）２のループ検出回路２０５でこのオンクック（ループ断）を検出し、制御部２１８が信号線状態領域４２ｆにループ断を格納した制御メッセージ（ループ断）を生成して通信装置（Ａ）１に送信する（Ｓ１９３３）。通信装置（Ａ）１の制御部１１８では、この制御メッセージ（ループ断）を受信すると、ループ形成回路１０５をループ断状態にし、ＰＢＸ４のライン回路４２ｂに対してのループを開放する（Ｓ１９３４）。
【０１５５】
図２１は、アナログ電話機６がプッシュボタン（ＰＢ）信号で電話番号を送出する場合のシーケンス図であり、また、図２２は、通信装置（Ｂ）２とアナログ電話機６とを接続している回線の信号波形状態を示す図である。なお、図２１に示すシーケンスでは制御メッセージに対して送信されるＡＣＫメッセージの記載を省略する。以下、図２１及び図２２に基づいて発信動作を説明する。
【０１５６】
まず、アナログ電話機６がオフフック（ループ）すると、図２２のＳＴ２２０１に示すように回線に通話電流が流れる。すると、通信装置（Ｂ）２のループ検出回路２０５でこのオフクック（ループ）を検出し（Ｓ２１０１）、制御部２１８が信号線状態領域４２ｆにループを格納した制御メッセージ（ループ）を生成して通信装置（Ａ）１に送信する（Ｓ２１０２）。
【０１５７】
通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ２１０３）。これにより、ＰＢＸ４は発呼を認識して、発信音（ダイヤルトーン）をライン回路４２ｂ、通信装置（Ａ）１、デジタル専用線３及び通信装置（Ｂ）２を介してアナログ電話機６に送出する（Ｓ２１０４）。アナログ電話機６側では、この発信音を聴取して、図２２のＳＴ２２０２ないしＳＴ２２０４に示すように、接続先となる内線電話機５の電話番号をプッシュボタン信号として送出する（Ｓ２１０５、Ｓ２１０８、Ｓ２１１１）。
【０１５８】
プッシュボタン信号は可聴信号であるため、一つのプッシュボタン信号毎に、通信装置（Ｂ）２、デジタル専用線３、通信装置（Ａ）１及びライン回路４２ｂを介してＰＢＸ４に送出される（Ｓ２１０６、Ｓ２１０９、Ｓ２１１２）。
【０１５９】
一方、ＰＢＸ４でプッシュボタン信号（電話番号）を受信すると、中央制御装置４５で着信先の内線電話機５を認識し（Ｓ２１０７、Ｓ２１１０、Ｓ２１１３）、この内線電話機５を呼び出すと共に、呼出音（リングバックトーン）をライン回路４２ｂ、通信装置（Ａ）１、デジタル専用線３及び通信装置（Ｂ）２を介してアナログ電話機６に送出する（Ｓ２１１４）。これにより、アナログ電話機６では内線電話機５が呼出中であることを認識する。
【０１６０】
この後、着信先の内線電話機５が呼び出しの応答すると、呼出音の送出を停止し、ライン回路４２ｂでは応答信号として回線の極性をレバース状態にする。すると、通信装置（Ａ）１の極性反転信号検出回路１０２でこのレバース状態を検出し（Ｓ２１１５）、制御部１１８が即座に信号線状態領域４２ｆにレバースを格納した制御メッセージ（レバース）を生成して通信装置（Ｂ）２に送信する（Ｓ２１１６）。通信装置（Ｂ）２の制御部２１８では、この制御メッセージ（レバース）を受信すると、レバースリレー２０１をレバース状態にし、図２２のＳＴ２２０５に示すように、アナログ電話機６を接続する回線極性をレバース状態にする（Ｓ２１１７）。
【０１６１】
そうすると、ライン回路４２ａ、通話路スイッチ４１、ライン回路４２ｂ、通信装置（Ａ）１、デジタル専用線３及び通信装置（Ｂ）２を介して、内線電話機５とアナログ電話機６とが通話状態になる（Ｓ２１１８）。
【０１６２】
この後、内線電話機５がオンフックして通話終了となると、ライン回路４２ｂでは終話信号として回線の極性をノーマル状態にする。すると、通信装置（Ａ）１の極性反転信号検出回路１０２でこのノーマル状態を検出し（Ｓ２１１９）、制御部１１８が即座に信号線状態領域４２ｆにノーマルを格納した制御メッセージ（ノーマル）を生成して通信装置（Ｂ）２に送信する（Ｓ２１２０）。通信装置（Ｂ）２の制御部２１８では、この制御メッセージ（ノーマル）を受信すると、レバースリレー２０１をノーマル状態にし、図２２のＳＴ２２０６に示すように、アナログ電話機６を接続する回線極性をノーマル状態にして終話信号を送出する（Ｓ２１２１）。
【０１６３】
この後、ＰＢＸ４は、話中音（ビジートーン）をライン回路４２ｂ、通信装置（Ａ）１、デジタル専用線３及び通信装置（Ｂ）２を介してアナログ電話機６に送出する（Ｓ２１２２）。これにより、図２２のＳＴ２２０７に示すように、アナログ電話機６では終話を認識してオンフックする。
【０１６４】
すると、通信装置（Ｂ）２のループ検出回路２０５でこのオンクック（ループ断状態）を検出し（Ｓ２１２３）、制御部２１８が信号線状態領域４２ｆにループ断を格納した制御メッセージ（ループ断）を生成して通信装置（Ａ）１に送信する（Ｓ２１２４）。通信装置（Ａ）１の制御部１１８では、この制御メッセージ（ループ断）を受信すると、ループ形成回路１０５をループ断状態にし、ＰＢＸ４のライン回路４２ｂに対してのループを開放する（Ｓ２１２５）。
【０１６５】
次に、図１に示すシステム構成図において、アナログ電話機６がＰＢＸ４の内線電話機５から着信を受けた場合の動作を説明する。
【０１６６】
図２３は、アナログ電話機６がＰＢＸ４の内線電話機５から着信を受けた場合のシーケンス図であり、また、図２４は、通信装置（Ｂ）２とアナログ電話機６とを接続している回線の信号波形状態を示す図である。なお、図２３に示すシーケンスでは制御メッセージに対して送信されるＡＣＫメッセージの記載を省略する。以下、図２３及び図２４に基づいて着信動作を説明する。
【０１６７】
まず、内線電話５がＰＢＸ４に対してアナログ電話機６の電話番号を送出し、ＰＢＸ４の中央制御装置４５がこれを検出する。すると、通信装置（Ａ）１、デジタル専用線３及び通信装置（Ｂ）２を介してアナログ電話機６を接続するライン回路４２ｂは、回線に対してその極性が反転したレバース信号を送出する。
【０１６８】
一方、通信装置（Ａ）１では、この極性反転検出回路１０２でこのレバース信号を検出すると（Ｓ２３０１）、制御部１１８が信号線状態領域４２ｆにレバースを格納した制御メッセージ（レバース）を生成して通信装置（Ｂ）２に送信する（Ｓ２３０２）。
【０１６９】
通信装置（Ｂ）２の制御部２１８では、この制御メッセージ（レバース）を受信すると、レバースリレー２０１を駆動し、図２４のＳＴ２４０１に示すように、アナログ電話機６を接続する回線に極性を反転させたレバース信号を送出する（Ｓ２３０３）。
【０１７０】
また、ＰＢＸ４の中央制御装置４５は、ライン回路４２ｂからレバース信号を送出した直後に、このライン回路４２ｂから呼出信号を送出する制御を行う。この呼出信号は、衆知のとおり、例えば、１秒オン、２秒オフの断続信号として送出される。一方、通信装置（Ａ）１では、呼出信号検出回路１０３でこの呼出信号のオン（１秒オンの開始）を検出すると（Ｓ２３０４）、制御部１１８が信号線状態領域４２ｆに呼出信号オンを格納した制御メッセージ（呼出信号オン）を生成して通信装置（Ｂ）２に送信する（Ｓ２３０５）。通信装置（Ｂ）２の制御部２１８では、この制御メッセージ（呼出信号オン）を受信すると、呼出信号リレー２０２を駆動し、図２４のＳＴ２４０２に示すように、アナログ電話機６を接続する回線に呼出信号を送出する（Ｓ２３０６）。
【０１７１】
次に、通信装置（Ａ）１では、呼出信号検出回路１０３でこの呼出信号のオフ（２秒オフの開始）を検出すると（Ｓ２３０７）、制御部１１８が信号線状態領域４２ｆに呼出信号オフを格納した制御メッセージ（呼出信号オフ）を生成して通信装置（Ｂ）２に送信する（Ｓ２３０８）。通信装置（Ｂ）２の制御部２１８では、この制御メッセージ（呼出信号オフ）を受信すると、呼出信号リレー２０２の駆動を停止し、図２４のＳＴ２４０３に示すように、アナログ電話機６を接続する回線に呼出信号を送出しない状態に戻す（Ｓ２３０９）。
【０１７２】
この後、アナログ電話機６が呼び出しに応答するまで、ＰＢＸ４のライン回路４２ｂから１秒オン、２秒オフの断続信号からなる呼出信号が送出されるので、これに伴い、通信装置（Ａ）１から通信装置（Ｂ）２に対して制御メッセージ（呼出信号オン）と制御メッセージ（呼出信号オフ）とが交互に繰り返し送出される（Ｓ２３１０ないしＳ２３２１）。従って、アナログ電話機６を接続する回線には、図２のＳＴ２４０４ないしＳＴ２４０７に示すように、ＰＢＸ４のライン回路４２ｂから送出される１秒オン、２秒オフの断続信号からなる呼出信号と同様の呼出信号が送出される。
【０１７３】
この呼び出しに対して、アナログ電話機６が応答し、オフフック（ループ）すると、図２４のＳＴ２４０８に示すように回線に通話電流が流れ、通信装置（Ｂ）２のループ検出回路２０５でこのオフクック（ループ）を検出し（Ｓ２３２２）、制御部２１８が信号線状態領域４２ｆにループを格納した制御メッセージ（ループ）を生成して通信装置（Ａ）１に送信する（Ｓ２３２３）。
【０１７４】
通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ２３２４）。これにより、ＰＢＸ４は応答を認識して、ライン回路４２ｂから極性を元の状態に戻したノーマル信号を送出する。通信装置（Ａ）１では、この極性反転検出回路１０２でこのノーマル信号を検出すると（Ｓ２３２５）、制御部１１８が信号線状態領域４２ｆにノーマルを格納した制御メッセージ（ノーマル）を生成して通信装置（Ｂ）２に送信する（Ｓ２３２６）。
【０１７５】
一方、通信装置（Ｂ）２の制御部２１８では、この制御メッセージ（ノーマル）を受信すると、レバースリレー２０１の駆動を停止し、図２４のＳＴ２４０９に示すように、アナログ電話機６を接続する回線に極性を元に戻したノーマル信号を送出する（Ｓ２３２７）。
【０１７６】
そうすると、ライン回路４２ａ、通話路スイッチ４１、ライン回路４２ｂ、通信装置（Ａ）１、デジタル専用線３及び通信装置（Ｂ）２を介して、内線電話機５とアナログ電話機６とが通話状態になる（Ｓ２３２８）。
【０１７７】
この後、内線電話機５がオンフックして通話終了となると、ライン回路４２ｂでは回線の極性を、一瞬、レバース状態にした後、ノーマル状態に戻す切断信号（切断パルス）を送出する。すると、通信装置（Ａ）１の極性反転信号検出回路１０２でこのレバース状態を検出し（Ｓ２３２９）、制御部１１８が即座に信号線状態領域４２ｆにレバースを格納した制御メッセージ（レバース）を生成して通信装置（Ｂ）２に送信する（Ｓ２３３０）。通信装置（Ｂ）２の制御部２１８では、この制御メッセージ（レバース）を受信すると、レバースリレー２０１をレバース状態にし、図２４のＳＴ２４１０に示すように、アナログ電話機６を接続する回線極性をレバース状態にする（Ｓ２３３１）。またこの直後に、通信装置（Ａ）１の極性反転信号検出回路１０２でこのノーマル状態を検出し（Ｓ２３３２）、制御部１１８が即座に信号線状態領域４２ｆにノーマルを格納した制御メッセージ（ノーマル）を生成して通信装置（Ｂ）２に送信する（Ｓ２３３３）。通信装置（Ｂ）２の制御部２１８では、この制御メッセージ（ノーマル）を受信すると、レバースリレー２０１をノーマル状態にして、図２４のＳＴ２４１１に示すように、アナログ電話機６を接続する回線極性をノーマル状態に戻す（Ｓ２３３４）。これにより、ライン回路４２ｂから送出された切断信号に応じた、切断信号が通信装置（Ｂ）２からアナログ電話機６に送出される。
【０１７８】
この後、ＰＢＸ４は、話中音（ビジートーン）をライン回路４２ｂ、通信装置（Ａ）１、デジタル専用線３及び通信装置（Ｂ）２を介してアナログ電話機６に送出する（Ｓ２３３５）。これにより、図２４のＳＴ２４１２に示すように、アナログ電話機６では終話を認識してオンフックする。
【０１７９】
すると、通信装置（Ｂ）２のループ検出回路２０５でこのオンクック（ループ断）を検出し（Ｓ２３３６）、制御部２１８が信号線状態領域４２ｆにループ断を格納した制御メッセージ（ループ断）を生成して通信装置（Ａ）１に送信する（Ｓ２３３７）。通信装置（Ａ）１の制御部１１８では、この制御メッセージ（ループ断）を受信すると、ループ形成回路１０５をループ断状態にし、ＰＢＸ４のライン回路４２ｂに対してのループを開放する（Ｓ２３３８）。
【０１８０】
次に、図１に示すシステム構成図において、アナログ電話機６が発信し、ＰＢＸ４の内線電話機５と通話中の場合に、アナログ電話機６がフッキング信号を送出し、更に、ダイヤルパルス（ＤＰ）信号又はプッシュボタン（ＰＢ）信号を送出した場合の動作を説明する。
【０１８１】
図２５は、アナログ電話機６がＰＢＸ４の内線電話機５と通話中において、アナログ電話機６がフッキング信号を送出し、更に、ダイヤルパルス（ＤＰ）信号又はプッシュボタン（ＰＢ）信号を送出した場合のシーケンス図であり、また、図２６は、通信装置（Ｂ）２とアナログ電話機６とを接続している回線の信号波形状態を示す図である。なお、図２５に示すシーケンスでは制御メッセージに対して送信されるＡＣＫメッセージの記載を省略する。以下、図２５及び図２６に基づいて動作を説明する。
【０１８２】
ライン回路４２ａ、通話路スイッチ４１、ライン回路４２ｂ、通信装置（Ａ）１、デジタル専用線３及び通信装置（Ｂ）２を介して、内線電話機５とアナログ電話機６とが通話状態にある（Ｓ２５０１）。この状態において、アナログ電話機６がフックキング操作されると、通信装置（Ｂ）２とアナログ電話機６を接続する回線には、ループを一瞬ループ断にし、また、ループに戻すフッキング信号（フッキングパルス）が送出される。
【０１８３】
フッキング信号は、ループ断／ループのパルス信号となるため、まず、図２６のＳＴ２６０１に示すように回線の通話電流が止まる。すると、通信装置（Ｂ）２のループ検出回路２０５でこのループ断状態を検出し（Ｓ２５０２）、制御部２１８が即座に信号線状態領域４２ｆにループ断を格納した制御メッセージ（ループ断）を生成して通信装置（Ａ）１に送信する（Ｓ２５０３）。通信装置（Ａ）１の制御部１１８では、この制御メッセージ（ループ断）を受信すると、ループ形成回路１０５をループ断状態にし、ＰＢＸ４のライン回路４２ｂに対してループ断を形成する（Ｓ２５０４）。
【０１８４】
また、この直後に、図２６のＳＴ２６０２に示すように回線の通話電流が流れる状態になる。すると、通信装置（Ｂ）２のループ検出回路２０５でこのループ状態を検出し（Ｓ２５０５）、制御部２１８が即座に信号線状態領域４２ｆにループを格納した制御メッセージ（ループ）を生成して通信装置（Ａ）１に送信する（Ｓ２５０６）。通信装置（Ａ）１の制御部１１８では、この制御メッセージ（ループ）を受信すると、ループ形成回路１０５をループ状態にし、ＰＢＸ４のライン回路４２ｂに対してループを形成する。
【０１８５】
次に、アナログ電話機６からダイヤルパルス信号が送出されると、ダイヤルパルス信号は、ループ断／ループの断続信号となるため、まず、図２６のＳＴ２６０３に示すように回線の通話電流が止まる。すると、通信装置（Ｂ）２のループ検出回路２０５でこのループ断状態を検出し（Ｓ２５０８）、制御部２１８が即座に信号線状態領域４２ｆにループ断を格納した制御メッセージ（ループ断）を生成して通信装置（Ａ）１に送信する（Ｓ２５０９）。通信装置（Ａ）１の制御部１１８では、この制御メッセージ（ループ断）を受信すると、ループ形成回路１０５をループ断状態にし、ＰＢＸ４のライン回路４２ｂに対してループ断を形成する（Ｓ２５１０）。
【０１８６】
また、一つのダイヤルパルスを出すため、次に、図２６のＳＴ２６０４に示すように回線の通話電流が流れる状態になる。すると、通信装置（Ｂ）２のループ検出回路２０５でこのループ状態を検出し（Ｓ２５１１）、制御部２１８が即座に信号線状態領域４２ｆにループを格納した制御メッセージ（ループ）を生成して通信装置（Ａ）１に送信する（Ｓ２５１２）。通信装置（Ａ）１の制御部１１８では、この制御メッセージ（ループ）を受信すると、ループ形成回路１０５をループ状態にし、ＰＢＸ４のライン回路４２ｂに対してループを形成する（Ｓ２５１３）。
【０１８７】
これによって、アナログ電話機６からライン回路４２ｂに対して一つのダイヤルパルスが送出される。そして、図２６のＳＴ２６０５ないしＳＴ２６０８に示すように回線への通話電流が断続的に流れるため、これらに応じて、ループ断／ループの制御メッセージの送信を繰り返して、アナログ電話機６から送出されたダイヤルパルス信号による電話番号をトランスペアレントにライン回路４２ｂに送出する（Ｓ２５１４ないしＳ２５２５）。
【０１８８】
次に、図２６のＳＴ２６０９ないしＳＴ２６１１に示すように、アナログ電話機６からプッシュボタン信号が送出されると（Ｓ２５２６、Ｓ２５２９、Ｓ２５３２）、プッシュボタン信号は可聴信号であるため透過信号として、一つのプッシュボタン信号毎に、通信装置（Ｂ）２からデジタル専用線３を介して通信装置（Ａ）１に到達し（Ｓ２５２７、Ｓ２５３０、Ｓ２５３３）、また、この通信装置（Ａ）１からライン回路４２ｂを介してＰＢＸ４に送出される（Ｓ２５２８、Ｓ２５３１、Ｓ２５３４）。
【０１８９】
すなわち、アナログ電話機６から送出されたプッシュボタン信号は、通信装置（Ｂ）２のハイブリッド回路２０８、アッテネータ２１０を介してＰＣＭ符号器２１２に到達する。ＰＣＭ符号器２１２では、アナログ信号であるプッシュボタン信号をデジタル信号であるＰＣＭ信号に変換し、ＡＤＰＣＭ符号器２１４に送出する。ＡＤＰＣＭ符号器２１４は、受信したＰＣＭ信号をＡＤＰＣＭ信号に圧縮して、これを制御メッセージ挿入回路２１６及びデジタル専用線インタフェース回路２１７を介してデジタル専用線３に送出する。
【０１９０】
一方、通信装置（Ａ）１では、デジタル専用線３からＡＤＰＣＭ符号化されたデジタル信号を受信すると、デジタル専用線インタフェース回路１１７及び制御メッセージ抽出回路１１６を介して、ＡＤＰＣＭ復号器１１４に送出する。ＡＤＰＣＭ復号器１１４は、受信したＡＤＰＣＭ信号をＰＣＭ信号に復号して、これをＰＣＭ復号器１１２に送出する。ＰＣＭ復号器１１２では、受信したＰＣＭ信号をアナログ信号であるプッシュボタン信号に変換し、これをアッテネータ１１０及びハイブリッド回路１０８を介してＰＢＸ４のライン回路４２ｂに送出する。このように、アナログ電話機６から送出されたプッシュボタン信号がＰＢＸ４に到達する。
【０１９１】
なお、図２５及び図２６において説明した、フッキング信号、ダイヤルパルス（ＤＰ）信号又はプッシュボタン（ＰＢ）信号の送出は、アナログ電話機６が発信し、ＰＢＸ４の内線電話機５と通話中の場合に、アナログ電話機６から発せられたものであるが、アナログ電話機６がＰＢＸ４の内線電話機５からの着信を受けて、アナログ電話機６と内線電話機５が通話中に、当該アナログ電話機６がフッキング信号、ダイヤルパルス（ＤＰ）信号又はプッシュボタン（ＰＢ）信号を送出する場合も同様に行われる。
【０１９２】
この場合、動作シーケンスは図２５に示すシーケンスと全く同一であるが、通信装置（Ｂ）２とアナログ電話機６とを接続している回線の信号波形状態は、図２７に示すようにその極性がノーマル側に反転した状態となる。
【０１９３】
次に、図１に示すシステム構成図において、アナログ電話機６がＰＢＸ４の内線電話機５等との通話がない状態でオフフック状態を継続し、ＰＢＸ４のライン回路４２ｂが通信装置（Ａ）１を接続する回線の給電を止め、これに応じて、通信装置（Ｂ）のアナログ電話機を接続する回線の給電を止める、所謂、ハイ・アンド・ドライ（Ｈ＆Ｄ）に関する動作を説明する。
【０１９４】
図２８は、アナログ電話機６がＰＢＸ４の内線電話機５との通話を終了し、内線電話機５がオンフックした後、アナログ電話機６がオフフックを継続した場合に生じるハイ・アンド・ドライ動作のシーケンス図であり、また、図２９は、通信装置（Ｂ）２とアナログ電話機６とを接続している回線の信号波形状態を示す図である。なお、図２８に示すシーケンスでは制御メッセージに対して送信されるＡＣＫメッセージの記載を省略する。以下、図２８及び図２９に基づいて動作を説明する。
【０１９５】
アナログ電話機６がＰＢＸ４の内線電話機５との通話を終了し、内線電話機５がオンフックすると、ＰＢＸ４からアナログ電話機６に対して話中音が送出される（Ｓ２８０１）。この後、アナログ電話機６がオフフック（ループ状態）を所定時間継続していると、通信装置（Ａ）１のループ形成回路１０５も所定時間継続してループ状態になるため、ＰＢＸ４の中央制御装置４５はライン回路４２ｂに対して、回線に通話電流を供給すること停止する指示を行う。これに伴い、ライン回路４２ｂは通信装置（Ａ）１を接続している回線への給電を停止する。
【０１９６】
すると、通信装置（Ａ）１では、給電検出回路１０１が給電が停止したことを検出して給電停止信号を出力する。制御回路１１８はこの給電停止信号の出力を認識すると（Ｓ２８０２）、信号線状態領域４２ｆに給電オフを格納した制御メッセージ（給電オフ）を生成して通信装置（Ｂ）２に送信する（Ｓ２８０３）。通信装置（Ｂ）２の制御部２１８では、この制御メッセージ（給電オフ）を受信すると、給電回路２０４に対し、通話電流供給を停止する制御をして、図２９のＳＴ２９０１に示すように、アナログ電話機６を接続する回線への通話電流供給を停止する。
【０１９７】
この後、所定時間が経過すると、ＰＢＸ４の中央制御装置４５は、アナログ電話機６がオンフック状態に戻ったかどうかを確認する処理として、ライン回路４２ｂから通信装置（Ａ）１を接続している回線への給電を行う。すると、通信装置（Ａ）１では、給電検出回路１０１が給電が行われていることを検出して給電中信号を出力する。制御回路１１８はこの給電中信号の出力を認識すると（Ｓ２８０５）、信号線状態領域４２ｆに給電オンを格納した制御メッセージ（給電オン）を生成して通信装置（Ｂ）２に送信する（Ｓ２８０６）。通信装置（Ｂ）２の制御部２１８では、この制御メッセージ（給電オン）を受信すると、給電回路２０４に対し、通話電流供給を行う制御をして、図２９のＳＴ２９０２に示すように、アナログ電話機６を接続する回線へ通話電流を供給する（Ｓ２８０７）。
【０１９８】
このとき、アナログ電話機６がオフフック状態を継続していると、通信装置（Ｂ）２から通信装置（Ａ）１に対して、信号線状態領域４２ｆにループ断を格納した制御メッセージが送出されないので、通信装置（Ａ）１は回線のループ状態を継続する。従って、ＰＢＸ４の中央制御装置４５は、再度、ライン回路４２ｂに対して、回線に通話電流を供給すること停止する指示を行う。これにより、通信装置（Ａ）１及び通信装置（Ｂ）２は、前記した動作と同じ動作を行い、図２９のＳＴ２９０３に示すように、アナログ電話機６を接続する回線への通話電流供給を停止する（Ｓ２８０８ないしＳ２８１０）。
【０１９９】
そして、この後、ＰＢＸ４の中央制御装置４５は、定期的にアナログ電話機６がオンフック状態に戻ったかどうかを確認する処理を行い（Ｓ２８１１ないしＳ２８１６）、アナログ電話機６を接続する回線は、図２９のＳＴ２９０４およびＳＴ２９０５に示すように、通話電流の供給と供給停止が行われる。
【０２００】
アナログ電話機６がオンフックした後、ＰＢＸ４の中央制御装置４５が、アナログ電話機６がオンフック状態に戻ったかどうかを確認する処理として、ライン回路４２ｂは通信装置（Ａ）１を接続している回線への給電を行うと、通信装置（Ａ）１の給電検出回路１０１は給電が行われていることを検出して給電中信号を出力する。制御回路１１８はこの給電中信号の出力を認識すると（Ｓ２８１７）、信号線状態領域４２ｆに給電オンを格納した制御メッセージ（給電オン）を生成して通信装置（Ｂ）２に送信する（Ｓ２８１８）。通信装置（Ｂ）２の制御部２１８では、この制御メッセージ（給電オン）を受信すると、給電回路２０４に対し、通話電流供給を行う制御をして、図２９のＳＴ２９０６に示すように、アナログ電話機６を接続する回線へ通話電流を供給する（Ｓ２８１９）。
【０２０１】
このとき、図２９のＳＴ２９０７に示すように、アナログ電話機６がオンフック状態（ループ断）となっているので、通信装置（Ｂ）２のループ検出回路２０５がループ断を認識し、ループ断信号を出力する。制御回路２１８はこのループ断信号の出力を認識すると（Ｓ２８２０）、信号線状態領域４２ｆにループ断を格納した制御メッセージ（ループ断）を生成して通信装置（Ａ）１に送信する（Ｓ２８２１）。通信装置（Ａ）１の制御部１１８では、この制御メッセージ（ループ断）を受信すると、ループ形成回路１０５を制御してライン回路４２ｂと接続している回線をループ断状態にする（Ｓ２８２１）。これにより、ライン回路４２ｂはループ断（オンフック）を認識し、中央制御装置４５に対して回線がオンフック状態になったことを通知し、ハイ・アンド・ドライの動作を終了する。
【０２０２】
次に、図１に示すシステム構成図において、通信装置（Ａ）１及び通信装置（Ｂ）２の両方が回線のループ断を認識している状態に行われる同期合わせ動作を説明する。なお、この動作は何らかの障害により、通信装置（Ａ）１と通信装置（Ｂ）２とが異なる状態で動作する異常状態を防止するために行うものである。
【０２０３】
図３０は、アナログ電話機６がオンフックし、通信装置（Ａ）１及び通信装置（Ｂ）２の両方が回線のループ断を認識している状態に行われる同期合わせシーケンス図である。なお、図３０に示すシーケンスでは制御メッセージに対して送信されるＡＣＫメッセージの記載を省略する。以下、図３０に基づいて動作を説明する。
【０２０４】
アナログ電話機６がオンフック状態（ループ断）になると、通信装置（Ｂ）２のループ検出回路２０５がループ断を認識し、ループ断信号を出力する。制御回路２１８はこのループ断信号の出力を認識すると（Ｓ３００１）、信号線状態領域４２ｆにループ断を格納した制御メッセージ（ループ断）を生成して通信装置（Ａ）１に送信する（Ｓ３００２）。通信装置（Ａ）１の制御部１１８では、この制御メッセージ（ループ断）を受信すると、ループ形成回路１０５を制御してライン回路４２ｂと接続している回線をループ断状態にする（Ｓ３００３）。これにより、通信装置（Ａ）１及び通信装置（Ｂ）２の両方が回線のループ断を認識している状態になる（Ｓ３００４およびＳ３００５）。
【０２０５】
この後、通信装置（Ａ）１は、給電オン／オフ、ノーマル／レバース信号又は呼出信号オン／オフの変化がない状態が所定時間経過すると、制御部１１８は、給電検出回路１０１、極性反転信号検出回路１０２及び呼出信号検出回路１０３が出力している信号状態（給電オン／オフ、ノーマル／レバース、呼出信号オン／オフ）を読み出し（Ｓ３００６）、これらの状態を信号線状態領域４２ｆに格納した制御メッセージを生成して通信装置（Ｂ）２に送信する（Ｓ３００７）。すると、通信装置（Ｂ）２の制御部２１８では、受信した制御メッセージの信号線状態領域４２ｆの内容を読み出して、この内容に応じるように、給電回路２０４、レバースリレー２０１及び呼出信号リレー２０２を制御する（Ｓ３００８）。
【０２０６】
そして、通信装置（Ａ）１は、制御メッセージを送出した後、タイマ（同期合わせタイマ）を起動し（Ｓ３００９）、例えば３秒間隔で給電オン／オフ、ノーマル／レバース信号及び呼出信号オン／オフの状態を、通信装置（Ｂ）２に送出する（Ｓ３０１０ないしＳ３０１２）。
【０２０７】
一方、通信装置（Ｂ）２も同様の処理を行う。すなわち、通信装置（Ｂ）２が回線のループ断を認識している状態であり、ループ／ループ断の変化がない状態が所定時間経過すると、制御部２１８は、ループ検出回路２０５が出力しているを信号状態（ループ／ループ断）を読み出し（Ｓ３０１３）、この状態を信号線状態領域４２ｆに格納した制御メッセージを生成して通信装置（Ａ）１に送信する（Ｓ３０１４）。すると、通信装置（Ａ）１の制御部１１８では、受信した制御メッセージの信号線状態領域４２ｆの内容を読み出して、この内容に応じるように、ループ形成回路１０５を制御する（Ｓ３０１５）。
【０２０８】
そして、通信装置（Ｂ）２は、制御メッセージを送出した後、タイマ（同期合わせタイマ）を起動し（Ｓ３０１６）、例えば３秒間隔でループ／ループ断の状態を、通信装置（Ａ）１に送出する（Ｓ３０１７ないしＳ３０１９）。
【０２０９】
このようにして、通信装置（Ａ）１及び通信装置（Ｂ）２間で、定期的に各々の装置状態を確認し、その状態を合わせている。なお、この定期的な状態合わせは、ループ断中だけでなく、給電オフ中およびループ中でかつ３０秒間連続して無音状態を検出した時など、音声が流れていない状態にも行うようにして、異常状態（通信装置（Ａ）１及び通信装置（Ｂ）２間の状態相違）の発生を防止している。
【０２１０】
次に、アナログ電話機６から送出されたダイヤルパルス信号を通信装置（Ｂ）２が読み取って通信装置（Ａ）１に通知し、通信装置（Ａ）１がこれを再生してライン回路４２ｂに対してトランスペアレントに伝達する動作を説明する。
【０２１１】
図３１に示すように、ダイヤルパルス信号はループ断（ブレーク）及びループ接続（メーク）からなり、また、隣接するダイヤルパルス列間には休止時間（ポーズ）が存在している。そして、ダイヤルパルス種類は、１０パルス毎秒と２０パルス毎秒の２種類が存在し、図３２に示すように、それぞれの種類に対して、ダイヤルパルス速度（１秒間に断続するパルス数）、ダイヤルパルスメーク率（一つのダイヤルパルスの送出時間（メーク時間＋ブレーク時間）に対するメーク時間の割合）及びミニマムポーズ時間（隣接するダイヤルパルス列間にの最小休止時間）が規定されている。
【０２１２】
さて、図３３に示すように、アナログ電話機６から出力されるダイヤルパルス信号が２０パルス毎秒方式であり、実際の速度が２１．６パルス毎秒で、メーク率が３０％であると仮定する。すると、通信装置（Ｂ）２では１３．８９ミリ秒のループ接続を認識することとなる。
【０２１３】
本実施の形態では、通信装置（Ｂ）２の制御部２１８が１００マイクロ秒のサンプリング間隔でループ検出回路２０５をサンプリングしてそのループ（ダイヤルパルス信号によるループ）を読み取るものとする。従って、制御部２１８において、このループ状態を読み取るサンプリング時間により最長で１００マイクロ秒の誤差が発生する。また、読み取ったループ状態の信号を信号線状態領域４２ｆに格納した制御メッセージ（ループ）を作成して通信装置（Ａ）１に送信するが、このときフレーム先頭送信タイミング（通信速度が３２ｋｂ／ｓであり、４ビットを送出するための時間）により最長で１２５マイクロ秒の誤差が発生する。
【０２１４】
次に、この制御メッセージの送信時間が７５０マイクロ秒であり、これを受信した通信装置（Ａ）１の制御部１１８では、１００マイクロ秒のサンプリング周期を採用しているため、ループ形成回路１０５を制御するために最長で１００マイクロ秒要し、これによりライン回路４２ｂの回線がループ状態になる。
【０２１５】
また、同様に、通信装置（Ｂ）２の制御部２１８が１００マイクロ秒のサンプリング間隔でループ検出回路２０５をサンプリングしてループ断（ダイヤルパルス信号によるループ断）を読み取る。読み取ったループ状態の信号を信号線状態領域４２ｆに格納した制御メッセージ（ループ断）を作成して通信装置（Ａ）１に送信する。
【０２１６】
次に、この制御メッセージの送信時間が７５０マイクロ秒であり、これを受信した通信装置（Ａ）１の制御部１１８ではループ形成回路１０５を制御し、これによりライン回路４２ｂの回線がループ断状態となる。
【０２１７】
以上によれば、ライン回路４２ｂの回線に送出されるループ接続時間は１３．５６５ミリ秒となり、ダイヤルパルス送出のタイミングによって、アナログ電話機６が送出したループ接続時間より０．３２５ミリ秒短縮される場合がある。
【０２１８】
ところで、ダイヤルパルス信号の読み取り規定は、通常に、図３４及び図３５に示す、社団法人電信電話技術委員会（ＴＴＣ）で制定されたＴＴＣ標準のＪＴ−２０．１２及びＪＴ−２１．１０の規定が用いられている。図３４は、１０パルス毎秒方式のダイヤルパルス信号の送信及び受信規定を示すグラフであり、ダイヤルパルス速度が８．５〜１１．５パルス毎秒で、かつ、メーク率が２５％〜４５％の範囲でダイヤルパルス信号を受信できるように規定されている。図３５は、２０パルス毎秒方式のダイヤルパルス信号の送信及び受信規定を示すグラフであり、ダイヤルパルス速度が１７．０〜２３．０パルス毎秒で、かつ、メーク率が２５％〜４５％の範囲でダイヤルパルス信号を受信できるように規定されている。
【０２１９】
一方、アナログ電話機６から送出されたダイヤルパルス信号を通信装置（Ｂ）２が読み取って通信装置（Ａ）１に通知し、通信装置（Ａ）１がこれを再生してライン回路４２ｂに対して伝達する場合、前述したようにループ接続時間が微少時間短縮されると想定されるが、図３４又は図３５に示すように、ダイヤルパルス速度及びメーク率の両方が、余裕をもってダイヤルパルス信号の受信規定の範囲内とすることができる。従って、アナログ電話機６から送出されたダイヤルパルス信号を通信装置（Ｂ）２及び通信装置（Ａ）１を介してライン回路４２ｂに対しトランスペアレントに伝達することができる。
【０２２０】
また、このことから、通信装置（Ａ）１の制御部１１８が、制御メッセージ抽出回路１１６から得られるループ／ループ断の制御信号に応じた制御メッセージを検出する微小時間周期、並びに、通信装置（Ｂ）２の制御部２１８が、ループ検出回路２０５から得られる信号状態を検出する微小時間周期は、以下の条件を満たすように設定する必要がある。
【０２２１】
すなわち、図３５に示す２０パルス毎秒方式でのダイヤルパルス信号の送信及び受信規定から、通信装置（Ｂ）２のループ検出回路２０５でのループ／ループ断の検出から、通信装置（Ａ）１のループ形成回路１０５で再生されるループ／ループ断で許される誤差は２．３２ミリ秒以下となる。
【０２２２】
これは、ダイヤルパルスを送信するアナログ電話機６において、
（１）２０パルス毎秒方式での信号送信速度（規定）−  最速２１．６ｐｐｓ
（２）送信側のメーク率（規定）−  最小３０％
でダイヤルパルスを送信すると、送信側メーク時間が最小１３．８９ミリ秒となり、また、
ダイヤルパルスを受信するＰＢＸ４のライン回路４２ｂにおいて、
（１）２０パルス毎秒方式での信号受信速度  −  送信側と同一２１．６ｐｐｓ
（２）受信側のメーク率  −  最小２５％
でダイヤルパルスを受信すると、受信側メーク許容時間が１１．５７ミリ秒となることから、送信側と受信側のメーク時間の差分（最大の誤差）が、２．３２ミリ秒となるためである。
【０２２３】
従って、制御部２１８がループ検出回路２０５から得られる信号状態を検出する信号検出周期（微小時間周期）ａ秒と、制御メッセージの送信誤差（最大１２５マイクロ秒）ｂ秒と、制御部１１８が制御メッセージ抽出回路１１６から得られるループ／ループ断の制御信号に応じた制御メッセージを検出する制御メッセージ検出周期（微小時間周期）ｃ秒とを加算した値が、２．３２ミリ秒以下であれば良い。
【０２２４】
このため、制御部２１８がループ検出回路２０５から得られる信号状態を検出する信号検出周期及び制御部１１８が制御メッセージ抽出回路１１６から得られるループ／ループ断の制御信号に応じた制御メッセージを検出する制御メッセージ検出周期がそれぞれ１ミリ秒以下（合計２ミリ秒以下）であれば、ＴＴＣ標準のＪＴ−２０．１２及びＪＴ−２１．１０のダイヤルパルス受信規定を満たし、アナログ電話機６から送出されたダイヤルパルス信号を通信装置（Ｂ）２及び通信装置（Ａ）１を介してライン回路４２ｂに対しトランスペアレントに伝達することができる。
【０２２５】
なお、これは、一つの制御メッセージを短いメッセージ長（本実施の形態では２４ビット）の構成とし、送信側の通信装置から受信側の通信装置に、一つの制御メッセージを短時間（本実施の形態では７５０マイクロ秒）で伝達可能にしたことによって達成されるものである。
【０２２６】
【発明の効果】
以上、本発明によれば、電話交換装置を接続するアナログ回線の電気的回線状態を、デジタル通信回線を介してトランスペアレントにアナログ電話機側に伝達し、当該アナログ電話機を接続するアナログ回線の電気的回線状態を、電話交換装置を接続するアナログ回線の電気的回線状態と同一になるように再現し、また、アナログ電話機を接続するアナログ回線の電気的回線状態を、デジタル通信回線を介してトランスペアレントに電話交換装置側に伝達し、当該電話交換装置を接続するアナログ回線の電気的回線状態を、アナログ電話機を接続するアナログ回線の電気的回線状態と同一になるように再現するので、既存の電話交換装置等のシステムを何ら変更することなく、既存のアナログ端末装置をデジタル通信回線を介して電話交換装置に接続可能となる。
【図面の簡単な説明】
【図１】  本発明が適用されたシステム構成図である。
【図２】  通信装置（Ａ）の構成を示すブロック図である。
【図３】  通信装置（Ｂ）の構成を示すブロック図である。
【図４】  本実施の形態の通信装置（Ａ）及び通信装置（Ｂ）の間において、給電オン／オフ、レバース／ノーマル、呼出信号オン／オフ及びループ／ループ断の制御信号を、デジタル専用線３を介して送受するのに使用する制御メッセージを説明する図である。
【図５】  図４に示すフレームＦ６の構成の詳細を説明する図である。
【図６】  本実施の形態における制御メッセージの送受信の概要を説明する図である。
【図７】  本実施の形態における制御メッセージの伝達手順の基本シーケンスである。
【図８】  本実施の形態における制御メッセージの伝達手順でフレームＦ３の先頭３ビットが異常のときのシーケンスである。
【図９】  本実施の形態における制御メッセージの伝達手順でサム値領域内のサム値が異常のときのシーケンスである。
【図１０】  本実施の形態における制御メッセージの伝達手順で、制御メッセージが紛失したときのシーケンスである。
【図１１】  本実施の形態における制御メッセージの伝達手順で、ＡＣＫメッセージが紛失したときのシーケンスである。
【図１２】  本実施の形態における制御メッセージの伝達手順で、ＡＣＫメッセージのサム値が異常のときのシーケンスである。
【図１３】  本実施の形態における制御メッセージの伝達手順で、シーケンス番号領域内のシーケンス番号が正常のときのシーケンスである。
【図１４】  本実施の形態における制御メッセージの伝達手順で、シーケンス番号領域内のシーケンス番号が異常のときのシーケンスである。
【図１５】  本実施の形態における制御メッセージの伝達手順で、初回立上り時のシーケンスである。
【図１６】  本実施の形態における制御メッセージの伝達手順で、デジタル専用線の伝送遅延が大きいときのシーケンスである。
【図１７】  本実施の形態における制御メッセージの伝達手順で、デジタル専用線３が障害時のときのシーケンスである。
【図１８】  本実施の形態における制御メッセージの伝達手順で、一方の通信装置が対向する通信装置の最新状態を認識する必要が出たときのシーケンスである。
【図１９】  アナログ電話機６がダイヤルパルス（ＤＰ）信号で電話番号を送出する場合のシーケンス図である。
【図２０】  通信装置（Ｂ）とアナログ電話機とを接続している回線の信号波形状態を示す図である。
【図２１】  アナログ電話機がプッシュボタン（ＰＢ）信号で電話番号を送出する場合のシーケンス図である。
【図２２】  通信装置（Ｂ）とアナログ電話機とを接続している回線の信号波形状態を示す図である。
【図２３】  アナログ電話機がＰＢＸの内線電話機から着信を受けた場合のシーケンス図である。
【図２４】  通信装置（Ｂ）とアナログ電話機とを接続している回線の信号波形状態を示す図である。
【図２５】  アナログ電話機がＰＢＸの内線電話機と通話中において、アナログ電話機がフッキング信号を送出し、更に、ダイヤルパルス（ＤＰ）信号又はプッシュボタン（ＰＢ）信号を送出した場合のシーケンス図である。
【図２６】  通信装置（Ｂ）とアナログ電話機とを接続している回線の信号波形状態を示す図である。
【図２７】  通信装置（Ｂ）とアナログ電話機とを接続している回線の信号波形状態を示す図である。
【図２８】  ハイ・アンド・ドライ動作のシーケンス図である。
【図２９】  通信装置（Ｂ）とアナログ電話機とを接続している回線の信号波形状態を示す図である。
【図３０】  通信装置（Ａ）及び通信装置（Ｂ）の両方が回線のループ断を認識している状態に行われる同期合わせシーケンス図である。
【図３１】  ダイヤルパルス信号を説明する図である。
【図３２】  ダイヤルパルス信号の種類や形式を説明する図である。
【図３３】  アナログ電話機から出力されるダイヤルパルス信号が通信装置（Ｂ）及び通信装置（Ａ）を介して電話交換装置にトランスペアレントに伝達される様子を説明する図である。
【図３４】  ダイヤルパルス信号の送信及び受信規定を説明する図である。
【図３５】  ダイヤルパルス信号の送信及び受信規定を説明する図である。
【符号の説明】
１  ＰＢＸ側デジタル専用線通信装置（通信装置（Ａ））
２  電話機側デジタル専用線通信装置（通信装置（Ｂ））
３  デジタル専用線
４  構内電話交換機（ＰＢＸ）
５  内線電話機
６  アナログ電話機
７  公衆網
８  専用線
【図１】
0003859205.tif 000002
【図２】
0003859205.tif 000003
【図３】
0003859205.tif 000004
【図４】
0003859205.tif 000005
【図５】
0003859205.tif 000006
【図６】
0003859205.tif 000007
【図７】
0003859205.tif 000008
【図８】
0003859205.tif 000009
【図９】
0003859205.tif 000010
【図１０】
0003859205.tif 000011
【図１１】
0003859205.tif 000012
【図１２】
0003859205.tif 000013
【図１３】
0003859205.tif 000014
【図１４】
0003859205.tif 000015
【図１５】
0003859205.tif 000016
【図１６】
0003859205.tif 000017
【図１７】
0003859205.tif 000018
【図１８】
0003859205.tif 000019
【図１９】
0003859205.tif 000020
【図２０】
0003859205.tif 000021
【図２１】
0003859205.tif 000022
【図２２】
0003859205.tif 000023
【図２３】
0003859205.tif 000024
【図２４】
0003859205.tif 000025
【図２５】
0003859205.tif 000026
【図２６】
0003859205.tif 000027
【図２７】
0003859205.tif 000028
【図２８】
0003859205.tif 000029
【図２９】
0003859205.tif 000030
【図３０】
0003859205.tif 000031
【図３１】
0003859205.tif 000032
【図３２】
0003859205.tif 000033
【図３３】
0003859205.tif 000034
【図３４】
0003859205.tif 000035
【図３５】
0003859205.tif 000036